(57)【要約】  無線通信の送信電力を制御する装置および方法を提供する。送信電力制御のコンテクストにおいて、物理チャネルを再構成するためのゲイン係数（ｇａｉｎ  ｆａｃｔｏｒｓ）と調整の決定に対処する。実装は、同時に送信される複数のチャネル（２０）を使用して無線送受信ユニット（ＷＴＲＵ：ｗｉｒｅｌｅｓｓ  ｔｒａｎｓｍｉｔ  ｒｅｃｅｉｖｅ  ｕｎｉｔｓ）（１０）間で無線通信を行う通信システムと組み合わせるのが好ましい。
2007507165.tif 000002
【特許請求の範囲】
【請求項１】
選択されたチャネルの組合せでデータを搬送するフォワードコンポジットチャネルを介して信号を送信する無線送受信ユニット（ＷＴＲＵ）の送信電力を制御する方法であって、前記ＷＴＲＵは前記フォワードチャネルを経由して受信したデータ信号に基づいて計算されたターゲットメトリックスの関数として前記フォワードチャネルの電力調整を行うように構成されており、
参照となるチャネルの組合せに対して参照ゲイン係数βｒｅｆを決定するステップと、
前記フォワードコンポジットチャネル上でデータを送信するためのチャネルの組合せを選択するステップと、
前記選択されたチャネルの組合せが前記参照となるチャネルの組合せと同じでない場合は、前記選択されたチャネルの組合せに対するゲイン係数βが前記参照ゲイン係数βｒｅｆに比例するように、前記選択されたチャネルの組合せに関するゲイン係数βを計算するステップと、
前記選択されたチャネルの組合せを使用して、前記フォワードコンポジットチャネル上でデータ信号を送信する場合において、前記フォワードチャネルの電力調整を行うときに、前記選択されたチャネルの組合せに対する前記ゲイン係数βを前記フォワードコンポジットチャネルに適用するステップと、
を備えることを特徴とする方法。
【請求項２】
前記ＷＴＲＵは符号分割多重アクセス（ＣＤＭＡ）システムで使用されるように構成されており、データチャネルは送信チャネル（ＴｒＣＨ）であり、前記コンポジットチャネルはアップリンクコードコンポジット送信チャネル（ＣＣＴｒＣＨ）であり、さらに送信フォーマット組合せ（ＴＦＣ）は前記ＣＣＴｒＣＨのあらかじめ定義されたフォーマットチャネルの組合せセットのそれぞれに関連付けられており、前記フォーマットチャネルの組合せの１つが参照となるチャネルの組合せＴＦＣｒｅｆであり、ｊ番目のチャネルの組合せＴＦＣｊは前記フォワードコンポジットチャネル上でデータを送信するために選択されており、前記選択されたチャネルの組合せのゲイン係数βｊはβｊ＝Ｘ×βｒｅｆとなるように計算されるように構成されていることを特徴とする請求項１に記載の方法。
【請求項３】
前記ゲイン係数βｊは、前記ＷＴＲＵによって計算されることを特徴とする請求項２に記載の方法。
【請求項４】
前記ゲイン係数βｊは、前記ＷＴＲＵの外部で計算され、前記ゲイン係数βｊを前記ＷＴＲＵに信号伝達するステップをさらに備えることを特徴とする請求項２に記載の方法。
【請求項５】
前記ゲイン係数βｊは、前記ＷＴＲＵに信号伝達される前に量子化されることを特徴とする請求項４に記載の方法。
【請求項６】
前記ゲイン係数βｊは、
【数１】
2007507165.tif 000039
となるように計算され、ただし、
【数２】
2007507165.tif 000040
ＲＭｉは送信チャネルｉの半静的なレートマッチング属性、Ｎｉは送信チャネルｉの無線フレームセグメンテーションブロックから出力されたビット数であり、ＴＦＣｒｅｆ内のすべての送信チャネルｉについて合計を求め、
ここで、
【数３】
2007507165.tif 000041
ここで、ＴＦＣｊ内のすべての送信チャネルｉについて合計を求め、
【数４】
2007507165.tif 000042
ここで、ＳＦｉは専用物理チャネル（ＤＰＣＨ）ｉの拡散係数であり、ＴＦＣｒｅｆ内で使用するすべてのＤＰＣＨｉについて合計を求め、
【数５】
2007507165.tif 000043
ここで、ＴＦＣｊ内で使用するすべてのＤＰＣＨｉについて合計を求める、
ことを特徴とする請求項２に記載の方法。
【請求項７】
前記ゲイン係数βｊは、前記ＷＴＲＵによって計算されることを特徴とする請求項６に記載の方法。
【請求項８】
前記ゲイン係数βｊは、前記ＷＴＲＵの外部で計算され、前記ゲイン係数βｊを前記ＷＴＲＵに信号伝達するステップをさらに備えることを特徴とする請求項６に記載の方法。
【請求項９】
前記ゲイン係数βｊは、前記ＷＴＲＵに信号伝達される前に量子化されることを特徴とする請求項８に記載の方法。
【請求項１０】
前記ＴＦＣｒｅｆは、すべてのゲイン係数値が１／８より大きく、２より小さくなるように選択され、前記量子化されたゲイン係数βｊ（βｊ，ｑｕａｎｔｉｚｅｄ）は、
【数６】
2007507165.tif 000044
ここで、
【数７】
2007507165.tif 000045
はｘより大きいかｘと等しい最小の整数を表す、
となるように決定されることを特徴とする請求項９に記載の方法。
【請求項１１】
選択されたチャネルの組合せにおいて通信データを搬送するフォワードコンポジットチャネルを介して信号を送信するように構成された送信機と、
前記フォワードチャネルを介して受信した前記通信データ信号に基づいて計算されたターゲットメトリックスデータを受信するように構成された受信機と、
受信したターゲットメトリックスデータの関数としてフォワードチャネルの電力調整を行うように構成された前記送信機に関連付けられて動作できるプロセッサであって、
前記プロセッサは、前記フォワードコンポジットチャネルを経由してデータを送信するために選択されたチャネルの組合せに対する送信機の電力制御のためにゲイン係数βを適用し、前記選択されたチャネルの組合せが参照となるチャネルの組合せと同じでない場合は、前記選択されたチャネルの組合せに対する前記ゲイン係数βを、前記選択されたチャネルの組合せに対するゲイン係数βが前記参照となるチャネルの組合せに対して決定された参照ゲイン係数βｒｅｆに比例させるように計算するよう構成されることと、
を備えることを特徴とする無線送受信ユニット（ＷＴＲＵ）。
【請求項１２】
符号分割多重アクセス（ＣＤＭＡ）システムで使用されるように構成されており、データチャネルは送信チャネル（ＴｒＣＨ）であり、前記コンポジットチャネルはアップリンクコードコンポジット送信チャネル（ＣＣＴｒＣＨ）であり、さらに送信フォーマットの組合せ（ＴＦＣ）は前記ＣＣＴｒＣＨのあらかじめ定義されたフォーマットチャネルの組合せセットのそれぞれに関連付けられており、フォーマットチャネルの組合せの１つは前記参照となるチャネルの組合せＴＦＣｒｅｆであり、ｊ番目のチャネルの組合せは前記フォワードコンポジットチャネルを経由してデータを送信するために選択されており、前記プロセッサは選択されたチャネルの組合せＴＦＣｊのゲイン係数βｊをβｊ＝Ｘ×βｒｅｆとなるように適用し、計算するように構成されていることを特徴とする請求項１１に記載のＷＴＲＵ。
【請求項１３】
前記プロセッサは、前記ゲイン係数βｊを、
【数８】
2007507165.tif 000046
となるよう計算するように構成され、ただし、
【数９】
2007507165.tif 000047
ＲＭｉは送信チャネルｉの半静的なレートマッチング属性、Ｎｉは送信チャネルｉの無線フレームセグメンテーションブロックから出力されたビット数であり、ＴＦＣｒｅｆ内のすべての送信チャネルｉについて合計を求め、
【数１０】
2007507165.tif 000048
ここで、前記ＴＦＣｊ内のすべての送信チャネルｉについて合計を求め、
【数１１】
2007507165.tif 000049
ここで、ＳＦｉは専用物理チャネル（ＤＰＣＨ）ｉの拡散係数であり、ＴＦＣｒｅｆ内で使用するすべてのＤＰＣＨｉについて合計を求め、
【数１２】
2007507165.tif 000050
ここで、ＴＦＣｊ内で使用するすべてのＤＰＣＨｉについて合計を求める、
ことを特徴とする請求項１２に記載のＷＴＲＵ。
【請求項１４】
選択されたチャネルの組合せにおいて通信データを搬送するフォワードコンポジットチャネルを経由して信号を送信する送信ユニットの送信電力制御を支援するように構成された無線送受信ユニット（ＷＴＲＵ）であって、前記送信ユニットは前記ＷＴＲＵで決定されたゲイン係数の関数として、フォワードチャネルの電力調整を行うように構成されており、
前記フォワードコンポジットチャネル上の選択されたチャネルの組合せにおいて、前記送信ユニットから送信された通信信号を受信するように構成された受信機と、
前記フォワードコンポジットチャネルを経由して受信した前記選択されたチャネルの組合せに対するゲイン係数βを計算し、前記ゲイン係数βは前記選択されたチャネルの組合せが参照となるチャネルの組合せである場合は、参照ゲイン係数βｒｅｆとなるように決定され、それ以外の場合は前記参照ゲイン係数βｒｅｆに比例するように計算されるよう構成されたプロセッサと、
前記ゲイン係数βを反映するデータを前記送信ユニットに送信し、前記送信ユニットはそれに基づいてフォワードチャネルの電力調整を行うことができるよう構成された送信機と、
を備えることを特徴とするＷＴＲＵ。
【請求項１５】
前記送信ユニットは、前記ＷＴＲＵで計算されたターゲットメトリックスの関数としてフォワードチャネルの電力調整を行うように構成されており、前記ＷＴＲＵは、前記フォワードチャネルを経由して受信したデータ信号に基づいてターゲットメトリックスを計算するように構成され、前記計算されたターゲットメトリックスデータは前記送信ユニットに送信され、前記送信ユニットはそれに基づいてフォワードチャネルの電力調整を行うことができるように前記送信機に関連付けられて動作できるプロセッサをさらに備えることを特徴とする請求項１４に記載のＷＴＲＵ。
【請求項１６】
符号分割多重アクセス（ＣＤＭＡ）システムで使用されるように構成されており、データチャネルは送信チャネル（ＴｒＣＨ）であり、前記コンポジットチャネルはアップリンクコードコンポジット送信チャネル（ＣＣＴｒＣＨ）であり、さらに送信フォーマットの組合せ（ＴＦＣ）は前記ＣＣＴｒＣＨのあらかじめ定義されたフォーマットチャネルの組合せセットのそれぞれに関連付けられており、前記フォーマットチャネルの組合せの１つは参照となるチャネルの組合せＴＦＣｒｅｆであり、
前記プロセッサは前記選択されたチャネルの組合せに対するゲイン係数を計算するように構成されており、ｊ番目のチャネルの組合せＴＦＣｊは前記フォワードコンポジットチャネル上においてデータを送信するために前記送信ユニットが使用する前記選択されたチャネルの組合せであって、ただしＴＦＣｊがＴＦＣｒｅｆでない場合には、前記選択されたチャネルの組合せのゲイン係数βｊがβｊ＝Ｘ×βｒｅｆとなるように計算されることを特徴とする請求項１４に記載のＷＴＲＵ。
【請求項１７】
前記送信ユニットは、前記ＷＴＲＵで計算されたターゲットメトリックスの関数としてフォワードチャネルの電力調整を行うように構成され、前記ＷＴＲＵは、前記フォワードチャネルを経由して受信したデータ信号に基づいて前記ターゲットメトリックスを計算するように構成され、前記計算されたターゲットメトリックスデータは前記送信ユニットに送信されて、前記送信ユニットはそれに基づいてフォワードチャネルの電力調整を行うことができるように前記送信機に関連付けられて動作できるプロセッサをさらに備えることを特徴とする請求項１６に記載のＷＴＲＵ。
【請求項１８】
前記プロセッサは前記ゲイン係数βｊを量子化するように構成され、前記送信機は前記量子化されたゲイン係数βｊを送信ユニットに送信するように構成されることを特徴とする請求項１６に記載のＷＴＲＵ。
【請求項１９】
前記プロセッサは、前記ゲイン係数βｊを、
【数１３】
2007507165.tif 000051
となるよう計算するように構成され、ただし、
【数１４】
2007507165.tif 000052
ここで、ＲＭｉは送信チャネルｉの半静的なレートマッチング属性、Ｎｉは送信チャネルｉの無線フレームセグメンテーションブロックから出力されたビット数であり、ＴＦＣｒｅｆ内のすべての送信チャネルｉについて合計を求め、
【数１５】
2007507165.tif 000053
ここで、前記ＴＦＣｊ内のすべての送信チャネルｉについて合計を求め、
【数１６】
2007507165.tif 000054
ここで、ＳＦｉは専用物理チャネル（ＤＰＣＨ）ｉの拡散係数であり、ＴＦＣｒｅｆ内で使用するすべてのＤＰＣＨｉについて合計を求め、
【数１７】
2007507165.tif 000055
ここで、ＴＦＣｊ内で使用するすべてのＤＰＣＨｉについて合計を求める、
ことを特徴とする請求項１６に記載のＷＴＲＵ。
【請求項２０】
前記送信ユニットは、前記ＷＴＲＵで計算されたターゲットメトリックスの関数としてフォワードチャネルの電力調整を行うように構成されており、前記ＷＴＲＵは、前記フォワードチャネルを経由して受信したデータ信号に基づいて前記ターゲットメトリックスを計算するように構成され、前記計算されたターゲットメトリックスデータは前記送信ユニットに送信されて、前記送信ユニットはそれに基づいてフォワードチャネルの電力調整を行うことができるように前記送信機に関連付けられて動作できるプロセッサをさらに備えていることを特徴とする請求項１９に記載のＷＴＲＵ。
【請求項２１】
前記プロセッサは、前記ゲイン係数βｊを量子化するように構成され、前記送信機は前記量子化されたゲイン係数βｊを前記送信ユニットに送信するように構成されることを特徴とする請求項１９に記載のＷＴＲＵ。
【請求項２２】
ＴＦＣｒｅｆは、すべてのゲイン係数値が１／８より大きく、２より小さくなるように選択され、前記プロセッサは前記量子化されたゲイン係数βｊ（βｊ，ｑｕａｎｔｉｚｅｄ）が、
【数１８】
2007507165.tif 000056
となるよう決定されるように、量子化するよう構成され、ただし、
【数１９】
2007507165.tif 000057
はｘより大きいかｘと等しい最小の整数を表す、
ことを特徴とする請求項２１に記載のＷＴＲＵ。
【請求項２３】
前記送信ユニットは、前記ＷＴＲＵで計算されたターゲットメトリックスの関数としてフォワードチャネルの電力調整を行うように構成されており、前記ＷＴＲＵは、前記フォワードチャネルを経由して受信したデータ信号に基づいて前記ターゲットメトリックスを計算するように構成され、前記計算されたターゲットメトリックスデータは前記送信ユニットに送信されて、前記送信ユニットはそれに基づいてフォワードチャネルの電力調整を行うことができるように前記送信機に関連付けられて動作できるプロセッサをさらに備えていることを特徴とする請求項２１に記載のＷＴＲＵ。
【請求項２４】
フォワードコンポジットチャネルの選択された物理送信設定に対して選択されたチャネルの組合せでデータを搬送する前記フォワードコンポジットチャネルを介して、通信信号を送信する無線送受信ユニット（ＷＴＲＵ）の送信電力を制御する方法であって、
前記フォワードコンポジットチャネルの第１の物理送信設定に対して選択されたチャネルの組合せで前記フォワードコンポジットチャネル内の通信信号を送信するステップと、
前記フォワードコンポジットチャネルの前記第１の物理送信設定に対して参照となるチャネルの組合せを決定するステップと、
ゲイン係数βを、前記フォワードコンポジットチャネルの前記第１の物理送信設定に対して前記選択されたチャネルの組合せによる通信信号の送信に適用するステップであって、前記ゲイン係数βは前記フォワードコンポジットチャネルの前記第１の物理送信設定に対する前記選択されたチャネルの組合せおよび前記参照となるチャネルの組合せの拡散係数に基づいて決定されることと、
前記フォワードコンポジットチャネルの第２の物理送信設定に対する選択されたチャネルの組合せにおいて前記信号を送信するために、前記フォワードコンポジットチャネル内の通信信号の送信を再構成するステップと、
前記フォワードコンポジットチャネルの前記第２の物理送信設定に対して参照となるチャネルの組合せを決定するステップと、
ゲイン係数β’を、前記フォワードコンポジットチャネルの前記第２の物理送信設定に対する前記選択されたチャネルの組合せによる通信信号の前記送信に適用するステップであって、前記ゲイン係数β’は、前記フォワードコンポジットチャネルの前記第２の物理送信設定に対する前記選択されたチャネルの組合せおよび前記参照となるチャネルの組合せの拡散係数に基づいて決定されることと、
を備えることを特徴とする方法。
【請求項２５】
前記ＷＴＲＵは、符号分割多重アクセス（ＣＤＭＡ）システムにおいて使用されるように構成されており、データチャネルは前記コンポジットチャネルの様々な物理設定に対応する様々な拡散係数をとり得る送信チャネル（ＴｒＣＨ）であり、前記コンポジットチャネルはアップリンクコードコンポジット送信チャネル（ＣＣＴｒＣＨ）であり、送信フォーマット組合せ（ＴＦＣ）は前記フォワードコンポジットチャネルのすべての物理設定に対して定義された前記ＣＣＴｒＣＨのあらかじめ定義された一連のフォーマットチャネル組合せのそれぞれに関連付けられており、
前記方法においては、前記フォワードコンポジットチャネルの前記第１の物理送信設定に対する前記参照となるチャネルの組合せは、関連付けられたゲイン係数βｒｅｆ１を有するあらかじめ定義された一連のフォーマットチャネルの組合せの１つであるＴＦＣｒｅｆ１に決定され、前記フォワードコンポジットチャネルの前記第２の物理送信設定に対する前記参照となるチャネルの組合せは、関連付けられたゲイン係数βｒｅｆ２を有するあらかじめ定義された一連のフォーマットチャネルの組合せの１つであるＴＦＣｒｅｆ２に決定されることを特徴とする請求項２４に記載の方法。
【請求項２６】
前記第１の物理チャネル設定および第２の物理チャネル設定に対して同様のパンクチャリング／繰り返しをもたらす共通のＴＦＣが識別された場合に、前記共通のＴＦＣは前記参照となるチャネルの組合せＴＦＣｒｅｆ１であり、さらに前記参照となるチャネルの組合せＴＦＣｒｅｆ２でもあるように決定され、前記ゲイン係数βｒｅｆ２は前記ゲイン係数βｒｅｆ１と等しくなるように選択されることを特徴とする請求項２５に記載の方法。
【請求項２７】
前記参照となるチャネルの組合せＴＦＣｒｅｆ２は、前記第１の物理チャネル設定に対して前記参照となるチャネルの組合せＴＦＣｒｅｆ１がもたらすパンクチャリング／繰り返しと比較した場合に、前記第２の物理チャネル設定に対して同様のパンクチャリング／繰り返しをもたらすＴＦＣを識別することによって決定され、さらに前記ゲイン係数βｒｅｆ２は前記ゲイン係数βｒｅｆ１と等しくなるように選択されることを特徴とする請求項２５に記載の方法。
【請求項２８】
前記参照となるチャネルの組合せのＴＦＣｒｅｆ２は、参照となるチャネルの組合せＴＦＣｒｅｆ１と同じＴＦＣになるように選択され、さらに前記ゲイン係数βｒｅｆ２は前記ゲイン係数βｒｅｆ１に基づいて選択され、前記フォワードコンポジットチャネルの前記第１の物理設定から前記第２の物理設定への間で、前記参照となるチャネルの組合せにおける拡散係数が変化することを特徴とする請求項２５に記載の方法。
【請求項２９】
前記ゲイン係数βｒｅｆ２は、
【数２０】
2007507165.tif 000058
となるように選択され、ただし、
【数２１】
2007507165.tif 000059
ここで、ＳＦｉは前記第１の物理設定による専用物理チャネル（ＤＰＣＨ）ｉの拡散係数であり、ＴＦＣｒｅｆ１で使用するすべてのＤＰＣＨｉについて合計を求め、さらに、
【数２２】
2007507165.tif 000060
ここで、ＳＦｉは前記第２の物理設定による専用物理チャネル（ＤＰＣＨ）ｉの拡散係数であり、ＴＦＣｒｅｆ２で使用するすべてのＤＰＣＨｉについて合計を求める、
ことを特徴とする請求項２８に記載の方法。
【請求項３０】
前記参照となるチャネルの組合せＴＦＣｒｅｆ２は、前記参照となるチャネルの組合せＴＦＣｒｅｆ１と異なるＴＦＣになるように選択され、前記ゲイン係数βｒｅｆ２は、
【数２３】
2007507165.tif 000061
となるように選択され、ただし、
【数２４】
2007507165.tif 000062
ここで、ＲＭｉは送信チャネルｉの半静的なレートマッチング属性、Ｎｉは送信チャネルｉの無線フレームセグメンテーションブロックから出力されたビット数であり、前記第１の物理設定によるＴＦＣｒｅｆ１内のすべての送信チャネルｉについて合計を求め、
【数２５】
2007507165.tif 000063
ここで、ＲＭｉは送信チャネルｉの半静的なレートマッチング属性、Ｎｉは送信チャネルｉの無線フレームセグメンテーションブロックから出力されたビット数であり、前記第２の物理設定によるＴＦＣｒｅｆ２内のすべての送信チャネルｉについて合計を求め、
【数２６】
2007507165.tif 000064
ここで、ＳＦｉは前記第１の物理設定による専用物理チャネル（ＤＰＣＨ）ｉの拡散係数であり、ＴＦＣｒｅｆ１内で使用するすべてのＤＰＣＨｉについて合計を求め、
【数２７】
2007507165.tif 000065
ここで、ＳＦｉは前記第２の物理設定による専用物理チャネル（ＤＰＣＨ）ｉの拡散係数であり、ＴＦＣｒｅｆ２内で使用するすべてのＤＰＣＨｉについて合計を求める、
ことを特徴とする請求項２５に記載の方法。
【請求項３１】
前記フォワードコンポジットチャネルの前記第１の物理送信設定に対してデータを送信するためにｊ番目のチャネルの組合せＴＦＣｊが選択され、前記選択されたチャネルの組合せに対してβｊ＝Ｘ＊βｒｅｆ１となるように計算されたゲイン係数βｊが適用され、ここでＸは前記フォワードコンポジットチャネルの前記第１の物理送信設定に対するＴＦＣｊおよびＴＦＣｒｅｆ１の拡散係数に基づいており、
前記フォワードコンポジットチャネルの前記第２の物理送信設定に対してデータを送信するためにｋ番目のチャネルの組合せＴＦＣｋが選択され、前記選択されたチャネルの組合せに対してβｋ＝Ｘ’＊βｒｅｆ２となるように計算されたゲイン係数βｋが適用され、ここでＸ’は前記フォワードコンポジットチャネルの前記第２の物理送信設定に対してＴＦＣｋおよびＴＦＣｒｅｆ２の拡散係数に基づいていることを特徴とする請求項２５に記載の方法。
【請求項３２】
前記第１の物理チャネル設定および第２の物理チャネル設定に対して同様のパンクチャリング／繰り返しをもたらす共通のＴＦＣが識別された場合に、前記共通のＴＦＣは前記参照となるチャネルの組合せＴＦＣｒｅｆ１であり、さらに前記参照となるチャネルの組合せＴＦＣｒｅｆ２でもあるように決定され、前記ゲイン係数βｒｅｆ２は前記ゲイン係数βｒｅｆ１と等しくなるように選択されることを特徴とする請求項３１に記載の方法。
【請求項３３】
前記参照となるチャネルの組合せＴＦＣｒｅｆ２は、前記第１の物理チャネル設定に対して前記参照となるチャネルの組合せＴＦＣｒｅｆ１がもたらすパンクチャリング／繰り返しと比較した場合に、前記第２の物理チャネル設定に対して同様のパンクチャリング／繰り返しをもたらすＴＦＣを識別することによって決定され、さらに前記ゲイン係数βｒｅｆ２は前記ゲイン係数βｒｅｆ１と等しくなるように選択されることを特徴とする請求項３１に記載の方法。
【請求項３４】
前記参照となるチャネルの組合せＴＦＣｒｅｆ２は、参照となるチャネルの組合せＴＦＣｒｅｆ１と同じＴＦＣになるように選択され、さらに前記ゲイン係数βｒｅｆ２は前記ゲイン係数βｒｅｆ１に基づいて選択され、前記フォワードコンポジットチャネルの前記第１の物理設定から前記第２の物理設定への間で、前記参照となるチャネルの組合せにおける拡散係数が変化することを特徴とする請求項３１に記載の方法。
【請求項３５】
前記ゲイン係数βｒｅｆ２は、
【数２８】
2007507165.tif 000066
となるように選択され、ただし、
【数２９】
2007507165.tif 000067
ＳＦｉは前記第１の物理設定による専用物理チャネル（ＤＰＣＨ）ｉの拡散係数であり、ＴＦＣｒｅｆ１で使用するすべてのＤＰＣＨｉについて合計を求め、さらに、
【数３０】
2007507165.tif 000068
ここで、ＳＦｉは前記第２の物理設定による専用物理チャネル（ＤＰＣＨ）ｉの拡散係数であり、ＴＦＣｒｅｆ２で使用するすべてのＤＰＣＨｉについて合計を求める、
ことを特徴とする請求項３４に記載の方法。
【請求項３６】
前記参照となるチャネルの組合せＴＦＣｒｅｆ２は前記参照となるチャネルの組合せＴＦＣｒｅｆ１と異なるＴＦＣになるように選択され、前記ゲイン係数βｒｅｆ２は、
【数３１】
2007507165.tif 000069
となるように選択され、ただし、
【数３２】
2007507165.tif 000070
ＲＭｉは送信チャネルｉの半静的なレートマッチング属性、Ｎｉは送信チャネルｉの無線フレームセグメンテーションブロックから出力されたビット数であり、前記第１の物理設定によるＴＦＣｒｅｆ１内のすべての送信チャネルｉについて合計を求め、
【数３３】
2007507165.tif 000071
ここで、ＲＭｉは送信チャネルｉの半静的なレートマッチング属性、Ｎｉは送信チャネルｉの無線フレームセグメンテーションブロックから出力されたビット数であり、前記第２の物理設定によるＴＦＣｒｅｆ２内のすべての送信チャネルｉについて合計を求め、
【数３４】
2007507165.tif 000072
ここで、ＳＦｉは前記第１の物理設定に関する専用物理チャネル（ＤＰＣＨ）ｉの拡散係数であり、ＴＦＣｒｅｆ１内で使用するすべてのＤＰＣＨｉについて合計を求め、
【数３５】
2007507165.tif 000073
ここで、ＳＦｉは前記第２の物理設定に関する専用物理チャネル（ＤＰＣＨ）ｉの拡散係数であり、ＴＦＣｒｅｆ２内で使用するすべてのＤＰＣＨｉについて合計を求める、
ことを特徴とする請求項３１に記載の方法。
【請求項３７】
前記ゲイン係数βｊは、
【数３６】
2007507165.tif 000074
となるように計算され、ただし、
【数３７】
2007507165.tif 000075
ＲＭｉは送信チャネルｉの半静的なレートマッチング属性、Ｎｉは送信チャネルｉの無線フレームセグメンテーションブロックから出力されたビット数であり、ＴＦＣｒｅｆ１内のすべての送信チャネルｉについて合計を求め、
【数３８】
2007507165.tif 000076
ここで、ＴＦＣｊ内のすべての送信チャネルｉについて合計を求め、
【数３９】
2007507165.tif 000077
ここで、ＳＦｉは専用物理チャネル（ＤＰＣＨ）ｉの拡散係数であり、ＴＦＣｒｅｆ１内で使用するすべてのＤＰＣＨｉについて合計を求め、
【数４０】
2007507165.tif 000078
ここで、ＴＦＣｊ内で使用するすべてのＤＰＣＨｉについて合計を求め、
前記ゲイン係数βｋは、
【数４１】
2007507165.tif 000079
となるように計算され、ただし
【数４２】
2007507165.tif 000080
ＲＭｉは送信チャネルｉの半静的なレートマッチング属性、Ｎｉは送信チャネルｉの無線フレームセグメンテーションブロックから出力されたビット数であり、ＴＦＣｒｅｆ２内のすべての送信チャネルｉについて合計を求め、
【数４３】
2007507165.tif 000081
ここで、ＴＦＣｋ内のすべての送信チャネルｉについて合計を求め、
【数４４】
2007507165.tif 000082
ここで、ＳＦｉは前記第１の物理設定による専用物理チャネル（ＤＰＣＨ）ｉの拡散係数であり、ＴＦＣｒｅｆ２内で使用するすべてのＤＰＣＨｉについて合計を求め、
【数４５】
2007507165.tif 000083
ここで、ＴＦＣｋ内で使用するすべてのＤＰＣＨｉについて合計を求める、
ことを特徴とする請求項３１に記載の方法。
【請求項３８】
フォワードコンポジットチャネルの選択された物理送信設定に対して選択されたチャネルの組合せでデータを搬送する前記フォワードコンポジットチャネルを介して通信信号を送信するように構成された送信機と、
前記フォワードチャネルを経由して受信したデータ信号に基づいて計算されたターゲットメトリックスの関数として前記フォワードチャネルの電力調整を行うとともに、前記フォワードコンポジットチャネルの前記選択された物理送信設定に対して参照となるチャネルの組合せに基づくゲイン係数を適用するように構成されたプロセッサとを備え、
前記送信機は、前記フォワードコンポジットチャネル内の通信信号の送信を、前記フォワードコンポジットチャネルの第１の物理送信設定に対する第１の選択されたチャネルの組合せによる送信から、前記フォワードコンポジットチャネルの第２の物理送信設定に対する第２の選択されたチャネルの組合せによる送信へ、再構成するように構成さていれることと、
前記プロセッサは、ゲイン係数βを、前記ゲイン係数βが前記フォワードコンポジットチャネルの前記第１の物理送信設定に対する前記第１の選択されたチャネルの組合せおよび参照となるチャネルの組合せの拡散係数に基づいて決定されるように計算し、前記フォワードコンポジットチャネルの前記第１の物理送信設定に対する前記第１の選択されたチャネルの組合せによる通信信号の送信に適用するように構成されることと、
前記プロセッサは、ゲイン係数βを、前記ゲイン係数βが前記フォワードコンポジットチャネルの前記第２の物理送信構成に対する前記第２の選択されたチャネルの組合せおよび参照となるチャネルの組合せの拡散係数に基づいて決定されるように計算し、前記フォワードコンポジットチャネルの前記第２の物理送信設定に対する前記第２の選択されたチャネルの組合せによる通信信号の送信に適用するように構成されることと、
を特徴とする無線送受信ユニット（ＷＴＲＵ）。
【請求項３９】
符号分割多重アクセス（ＣＤＭＡ）システムで使用されるように構成されており、データチャネルは前記コンポジットチャネルの様々な物理設定に対応する様々な拡散係数をとり得る送信チャネル（ＴｒＣＨ）であり、前記コンポジットチャネルはアップリンクコードコンポジット送信チャネル（ＣＣＴｒＣＨ）であり、送信フォーマット組合せ（ＴＦＣ）はフォワードコンポジットチャネルのすべての物理設定に対して定義された前記ＣＣＴｒＣＨのあらかじめ定義された一連のフォーマットチャネル組合せのそれぞれに関連付けられており、
前記プロセッサは、前記フォワードコンポジットチャネルの前記第１の物理送信設定に対して、前記あらかじめ定義された一連のフォーマットチャネルの組合せから、関連付けられたゲイン係数βｒｅｆ１を有する参照となるチャネルの組合せＴＦＣｒｅｆ１、並びに、前記フォワードコンポジットチャネルの前記第２の物理送信設定に対して、前記あらかじめ定義された一連のフォーマットチャネルの組合せから、関連付けられたゲイン係数βｒｅｆ２有する参照となるチャネルの組合せＴＦＣｒｅｆ２を選択するように構成されることを特徴とする請求項３８に記載のＷＴＲＵ。
【請求項４０】
前記プロセッサは、前記第１の物理チャネル設定および第２の物理チャネル設定において同様のパンクチャリング／繰り返しをもたらす共通のＴＦＣを識別し、前記共通のＴＦＣを前記参照となるチャネルの組合せＴＦＣｒｅｆ１として、および前記参照となるチャネルの組合せＴＦＣｒｅｆ２としても選択し、さらに前記ゲイン係数βｒｅｆ２を前記ゲイン係数βｒｅｆ１と等しくなるように選択するように構成されることを特徴とする請求項３９に記載のＷＴＲＵ。
【請求項４１】
前記プロセッサは、前記第１の物理チャネル設定に対して参照となるチャネルの組合せＴＦＣｒｅｆ１がもたらすパンクチャリング／繰り返しと比較した場合に、前記第２の物理チャネル設定に対して同様のパンクチャリング／繰り返しをもたらすＴＦＣを識別することによって前記参照となるチャネルの組合せＴＦＣｒｅｆ２を選択し、さらに前記ゲイン係数βｒｅｆ２を前記ゲイン係数βｒｅｆ１と等しくなるように選択するように選択することを特徴とする請求項３９に記載のＷＴＲＵ。
【請求項４２】
前記プロセッサは、前記参照となるチャネルの組合せＴＦＣｒｅｆ２を前記参照となるチャネルの組合せＴＦＣｒｅｆ１と同じＴＦＣになるように選択し、前記ゲイン係数βｒｅｆ１に基づいて前記ゲイン係数βｒｅｆ２を計算するように構成されており、さらに前記フォワードコンポジットチャネルの前記第１の物理設定から前記第２の物理設定への間において、前記参照となるチャネルの組合せ内の拡散係数が変化することを特徴とする請求項３９に記載のＷＴＲＵ。
【請求項４３】
前記プロセッサは、前記ゲイン係数βｒｅｆ２を、
【数４６】
2007507165.tif 000084
となるよう計算するように構成され、ただし、
【数４７】
2007507165.tif 000085
ここで、ＳＦｉは前記第１の物理設定による専用物理チャネル（ＤＰＣＨ）ｉの拡散係数であり、ＴＦＣｒｅｆ１で使用するすべてのＤＰＣＨｉについて合計を求め、さらに、
【数４８】
2007507165.tif 000086
ここで、ＳＦｉは前記第２の物理設定による専用物理チャネル（ＤＰＣＨ）ｉの拡散係数であり、ＴＦＣｒｅｆ２で使用するすべてのＤＰＣＨｉについて合計を求める、
ことを特徴とする請求項４２に記載のＷＴＲＵ。
【請求項４４】
前記プロセッサは、前記参照となるチャネルの組合せＴＦＣｒｅｆ２を前記参照となるチャネルの組合せＴＦＣｒｅｆ１と異なるＴＦＣになるように選択し、前記ゲイン係数βｒｅｆ２を、
【数４９】
2007507165.tif 000087
となるよう計算するように構成され、ただし、
【数５０】
2007507165.tif 000088
ここで、ＲＭｉは送信チャネルｉの半静的なレートマッチング属性、Ｎｉは送信チャネルｉの無線フレームセグメンテーションブロックから出力されたビット数であり、前記第１の物理設定によるＴＦＣｒｅｆ１内のすべての送信チャネルｉについて合計を求め、
【数５１】
2007507165.tif 000089
ここで、ＲＭｉは送信チャネルｉの半静的なレートマッチング属性、Ｎｉは送信チャネルｉの無線フレームセグメンテーションブロックから出力されたビット数であり、前記第２の物理設定によるＴＦＣｒｅｆ２内のすべての送信チャネルｉについて合計を求め、
【数５２】
2007507165.tif 000090
ここで、ＳＦｉは前記第１の物理設定による専用物理チャネル（ＤＰＣＨ）ｉの拡散係数であり、ＴＦＣｒｅｆ１内で使用するすべてのＤＰＣＨｉについて合計を求め、
【数５３】
2007507165.tif 000091
ここで、ＳＦｉは前記第２の物理設定による専用物理チャネル（ＤＰＣＨ）ｉの拡散係数であり、ＴＦＣｒｅｆ２内で使用するすべてのＤＰＣＨｉについて合計を求める、
ことを特徴とする請求項３９に記載のＷＴＲＵ。
【請求項４５】
前記フォーマットチャネルの組合せの１つは、選択された参照となるチャネルの組合せＴＦＣｒｅｆであり、ｊ番目のチャネルの組合せＴＦＣｊは前記フォワードコンポジットチャネルを介してデータを送信するための前記選択されたチャネルの組合せであり、前記プロセッサは、前記選択されたチャネルの組合せＴＦＣｊに対して、βｊ＝Ｘ×βｒｅｆとなるようなゲイン係数βｊを適用し、計算するように構成されることを特徴とする請求項３９に記載のＷＴＲＵ。
【請求項４６】
フォワードコンポジットチャネルの選択された物理送信設定に対して選択されたチャネルの組合せでデータを搬送する前記フォワードコンポジットチャネルを介して通信信号を送信する無線送受信ユニット（ＷＴＲＵ）の送信電力を制御する方法であって、前記ＷＴＲＵは前記フォワードチャネルを経由して受信したデータ信号に基づいて計算されたターゲットメトリックスの関数として前記フォワードチャネルの電力調整を行うとともに、前記フォワードコンポジットチャネルの前記選択された物理送信設定に対して、参照となるチャネルの組合せに基づくゲイン係数を適用するように構成されており、前記方法は、
前記フォワードコンポジットチャネルに対して参照となるチャネルの組合せを決定するステップと、
前記フォワードコンポジットチャネルの第１の物理送信設定に対して選択されたチャネルの組合せで前記フォワードコンポジットチャネルを介して通信信号を送信するステップと、
前記フォワードコンポジットチャネルの前記第１の物理送信設定に対して、前記選択されたチャネルの組合せによる前記通信信号の送信に適用するゲイン係数βを決定するために、前記フォワードコンポジットチャネルの前記参照となるチャネルの組合せを使用するステップと、
前記フォワードコンポジットチャネルの前記第１の物理送信設定に対して、前記フォワードチャネルを介して受信した前記データ信号に基づいて計算したターゲットメトリックスの関数として、前記フォワードチャネルの電力調整を行うステップと、
前記フォワードコンポジットチャネルを経由した前記通信信号の送信を、前記フォワードコンポジットチャネルの第２の物理送信設定に対して選択されたチャネルの組合せで信号を送信するように再構成するステップであって、併せて、前記フォワードコンポジットチャネルの前記第１の物理設定から前記第２の物理設定への前記参照となるチャネルの組合せにおける拡散係数の変化の関数として計算された更新されたターゲットメトリックス基づいて、前記フォワードチャネルの送信電力を調整することと、
前記フォワードコンポジットチャネルの第２の物理送信設定に関連する前記選択されたチャネルの組合せによる通信信号の送信に適用するゲイン係数βを決定するために、前記フォワードコンポジットチャネルの前記第２の物理送信設定に対する前記参照となるチャネルの組合せを使用するステップと、
を備えることを特徴とする方法。
【請求項４７】
前記ＷＴＲＵは符号分割多重アクセス（ＣＤＭＡ）システムで使用されるように構成され、データチャネルは前記コンポジットチャネルの様々な物理設定に対応する様々な拡散係数をとり得る送信チャネル（ＴｒＣＨ）であり、前記コンポジットチャネルはアップリンクコードコンポジット送信チャネル（ＣＣＴｒＣＨ）であり、送信フォーマットの組合せ（ＴＦＣ）はすべての物理設定に対して定義された前記ＣＣＴｒＣＨのあらかじめ定義された一連のフォーマットチャネルの組合せのそれぞれに関連付けられており、さらに送信された通信信号を受信したときの信号対干渉比（ＳＩＲ）のメトリックスを使用してフォワードチャネルの電力調整の基準となるターゲットＳＩＲが計算され、前記フォワードコンポジットチャネルの前記参照となるチャネルの組合せは、前記あらかじめ定義された一連のフォーマットチャネルの組合せの１つ、すなわち関連付けられたゲイン係数βｒｅｆを有するＴＦＣｒｅｆであるように決定され、再構成に伴う前記フォワードチャネルの送信電力調整に使用する前記更新されたターゲットメトリックスは、更新されたターゲットＳＩＲであることを特徴とする請求項４６に記載の方法。
【請求項４８】
前記更新されたターゲットＳＩＲ、すなわちＳＩＲ＿ｔａｒｇｅｔｎｅｗは、
【数５４】
2007507165.tif 000092
となるように計算され、ただし、
ＳＩＲ＿ｔａｒｇｅｔｏｌｄは前記フォワードコンポジットチャネルの第１の物理送信設定に対してフォワードチャネルの電力調整を行うのに最新に使用されたターゲットメトリックスであり、
【数５５】
2007507165.tif 000093
ここで、ＳＦｉは前記第１の物理設定による専用物理チャネル（ＤＰＣＨ）ｉの拡散係数であり、ＴＦＣｒｅｆで使用するすべてのＤＰＣＨｉについて合計を求め、さらに、
【数５６】
2007507165.tif 000094
ここで、ＳＦｉは前記第２の物理設定に対する専用物理チャネル（ＤＰＣＨ）ｉの拡散係数であり、ＴＦＣｒｅｆで使用するすべてのＤＰＣＨｉについて合計を求める、
ことを特徴とする請求項４７に記載の方法。
【請求項４９】
前記フォワードコンポジットチャネルの第１の物理送信設定に対して、データを送信するためにｊ番目のチャネルの組合せＴＦＣｊが選択され、前記選択されたチャネルの組合せに対してβｊ＝Ｘ＊βｒｅｆとなるように計算されたゲイン係数βｊが適用され、ここでＸは前記フォワードコンポジットチャネルの前記第１の物理送信設定に対して、ＴＦＣｊおよびＴＦＣｒｅｆの拡散係数に基づいていることと、
前記フォワードコンポジットチャネルの第２の物理送信設定に対して、データを送信するためにｋ番目のチャネルの組合せＴＦＣｋが選択され、前記選択されたチャネルの組合せに対してβｋ＝Ｘ’＊βｒｅｆとなるように計算されたゲイン係数βｋが適用され、ここでＸ’は前記フォワードコンポジットチャネルの前記第２の物理送信設定に対して、ＴＦＣｋおよびＴＦＣｒｅｆの拡散係数に基づいていることと、
を特徴とする請求項４７に記載の方法。
【請求項５０】
前記ゲイン係数βｊは、
【数５７】
2007507165.tif 000095
となるように計算され、ただし、
【数５８】
2007507165.tif 000096
ＲＭｉは送信チャネルｉの半静的なレートマッチング属性、Ｎｉは送信チャネルｉの無線フレームセグメンテーションブロックから出力されたビット数であり、ＴＦＣｒｅｆ内のすべての送信チャネルｉについて合計を求め、
【数５９】
2007507165.tif 000097
ここで、前記ＴＦＣｊ内のすべての送信チャネルｉについて合計を求め、
【数６０】
2007507165.tif 000098
ここで、ＳＦｉは前記第１の物理設定に対する専用物理チャネル（ＤＰＣＨ）ｉの拡散係数であり、ＴＦＣｒｅｆ内で使用するすべてのＤＰＣＨｉについて合計を求め、
【数６１】
2007507165.tif 000099
ここで、前記第１の物理設定に対してＴＦＣｊ内で使用するすべてのＤＰＣＨｉについて合計を求め、
前記ゲイン係数βｋは、
【数６２】
2007507165.tif 000100
となるように計算され、ただし、
【数６３】
2007507165.tif 000101
ＲＭｉは送信チャネルｉの半静的なレートマッチング属性、Ｎｉは送信チャネルｉの無線フレームセグメンテーションブロックから出力されたビット数であり、ＴＦＣｒｅｆ内のすべての送信チャネルｉについて合計を求め、
【数６４】
2007507165.tif 000102
ここで、ＴＦＣｋ内のすべての送信チャネルｉについて合計を求め、
【数６５】
2007507165.tif 000103
ここで、ＳＦｉは前記第２の物理設定に対する専用物理チャネル（ＤＰＣＨ）ｉの拡散係数であり、ＴＦＣｒｅｆ内で使用するすべてのＤＰＣＨｉについて合計を求め、
【数６６】
2007507165.tif 000104
ここで、前記第２の物理設定に対してＴＦＣｋ内で使用するすべてのＤＰＣＨｉについて合計を求める、
ことを特徴とする請求項４９に記載の方法。
【請求項５１】
フォワードコンポジットチャネルの選択された物理送信設定に対して選択されたチャネルの組合せでデータを搬送する前記フォワードコンポジットチャネルを介して通信信号を送信するように構成された送信機と、
前記フォワードチャネルを経由して受信した前記通信信号に基づいて計算されたターゲットメトリックスの関数として、前記フォワードチャネルの電力調整を行うとともに、前記フォワードコンポジットチャネルの前記選択された物理送信設定に対して、参照となるチャネルの組合せに基づくゲイン係数を適用するように構成されたプロセッサとを備え、
前記送信機は、前記フォワードコンポジットチャネル内の通信信号の送信を、前記フォワードコンポジットチャネルの第１の物理送信設定に対する第１の選択されたチャネルの組合せによる送信から、前記フォワードコンポジットチャネルの第２の物理送信設定に対する第２の選択されたチャネルの組合せによる送信へ、再構成するように構成されており、前記プロセッサは、前記フォワードコンポジットチャネルの前記第１の物理設定から前記第２の物理送信設定への前記参照となるチャネルの組合せ拡散係数の変化の関数として計算された、更新されたターゲットメトリックスに基づいて、前記フォワードチャネルの送信電力を調整すること、
を特徴とする無線送受信ユニット（ＷＴＲＵ）。
【請求項５２】
前記フォワードコンポジットチャネルの選択されたチャネルの組合せによる通信信号の送信に適用するゲイン係数βを決定するために、前記プロセッサは、前記フォワードコンポジットチャネルの前記参照となるチャネルの組合せを使用するようにさらに構成されることを特徴とする請求項５１に記載のＷＴＲＵ。
【請求項５３】
符号分割多重アクセス（ＣＤＭＡ）システムで使用されるように構成され、ここで、データチャネルは前記コンポジットチャネルの様々な物理設定に対応する様々な拡散係数をとり得る送信チャネル（ＴｒＣＨ）であり、前記コンポジットチャネルはアップリンクコードコンポジット送信チャネル（ＣＣＴｒＣＨ）であり、送信フォーマット組合せ（ＴＦＣ）はすべての物理設定に対して定義された前記ＣＣＴｒＣＨのあらかじめ定義された一連のフォーマットチャネルの組合せのそれぞれに関連付けられており、前記フォワードコンポジットチャネルの前記参照となるチャネルの組み合わせは、前記あらかじめ定義された一連のフォーマットチャネルの組合せの１つ、すなわち関連付けられたゲイン係数βｒｅｆを有するＴＦＣｒｅｆであり、ここで、前記送信された通信信号を受信したときの信号対干渉比（ＳＩＲ）のメトリックスを使用してフォワードチャネルの電力調整の基準となるターゲットＳＩＲが計算され、さらに前記ＷＴＲＵにおいて、前記プロセッサは、前記フォワードチャネルの送信電力を調整する場合に、更新されたターゲットＳＩＲを更新されたターゲットメトリックスとして使用するとともに、送信を再構成することを特徴とする請求項５２に記載のＷＴＲＵ。
【請求項５４】
前記プロセッサは、前記更新されたターゲットＳＩＲ、すなわちＳＩＲ＿ｔａｒｇｅｔｎｅｗを、
【数６７】
2007507165.tif 000105
となるように計算するように構成され、ただし、
ＳＩＲ＿ｔａｒｇｅｔｏｌｄは前記フォワードコンポジットチャネルの第１の物理送信設定に対してフォワードチャネルの電力調整を行うのに最新に使用されたターゲットメトリックスであり、
【数６８】
2007507165.tif 000106
ここで、ＳＦｉは前記第１の物理設定による専用物理チャネル（ＤＰＣＨ）ｉの拡散係数であり、ＴＦＣｒｅｆで使用するすべてのＤＰＣＨｉについて合計を求め、さらに、
【数６９】
2007507165.tif 000107
ここで、ＳＦｉは前記第２の物理設定による専用物理チャネル（ＤＰＣＨ）ｉの拡散係数であり、ＴＦＣｒｅｆで使用するすべてのＤＰＣＨｉについて合計を求める、
ことを特徴とする請求項５３に記載のＷＴＲＵ。
【請求項５５】
前記プロセッサは、前記フォワードコンポジットチャネルの現在の物理送信設定に対して、データを送信するためにｊ番目のチャネルの組合せＴＦＣｊが選択された場合は、前記選択されたチャネルの組合せに対してβｊ＝Ｘ＊βｒｅｆとなるように計算されたゲイン係数βｊが適用されるように構成されており、ここでＸは前記フォワードコンポジットチャネルの現在の物理送信設定に対して、ＴＦＣｊおよびＴＦＣｒｅｆの拡散係数に基づくことを特徴とする請求項５３に記載のＷＴＲＵ。
【発明の詳細な説明】
【技術分野】
【０００１】
本発明は、無線通信の送信電力を制御する装置および方法に関し、特に、同時に送信される複数のチャネルを使用して無線送受信ユニット（ＷＴＲＵ：ｗｉｒｅｌｅｓｓ  ｔｒａｎｓｍｉｔ  ｒｅｃｅｉｖｅ  ｕｎｉｔｓ）間に無線通信を実装する通信システムに関する。送信電力制御のコンテクストにおいて、物理チャネルを再構成するためのゲイン係数と調整の決定に対処する。
【背景技術】
【０００２】
無線通信システムは当業者には周知である。一般に、こうしたシステムは、通信ステーション（ｃｏｍｍｕｎｉｃａｔｉｏｎ  ｓｔａｔｉｏｎｓ）、すなわち相互間で無線通信信号を送信および受信する無線送信／受信ユニット（ＷＴＲＵ）で構成されている。システムのタイプによって、通信ステーションは通常は基地局と加入者ＷＴＲＵ（モバイルユニットを含む）の２種類のいずれかである。
【０００３】
無線システムのグローバルな接続性を提供するために、標準規格が作成され、実装されている。現在普及している１つの標準規格は、Global System for Mobile Telecommunications（ＧＳＭ）として知られている。これは、いわゆる第２世代モバイル無線システム標準（Second Generation mobile radio system standard）（２Ｇ）と見なされており、後にはその改訂版（２．５Ｇ）が続いている。ＧＰＲＳ（Ｇｅｎｅｒａｌ  Ｐａｃｋｅｔ  Ｒａｄｉｏ  Ｓｅｒｖｉｃｅ）とＥＤＧＥ（Ｅｎｈａｎｃｅｄ  Ｄａｔａ  ｒａｔｅｓ  ｆｏｒ  Ｇｌｏｂａｌ  Ｅｖｏｌｕｔｉｏｎ）は、（２Ｇ）ＧＳＭネットワークで最上位の比較的高速のデータサービスを提供する、２．５Ｇ技術の具体的例である。こうした標準のそれぞれには、先行する標準規格を改善するために、機能の追加と強化が求められている。１９９８年１月に、European Telecommunications Standard Institute-Special Mobile Group（ＥＴＳＩ  ＳＭＧ）は、Universal Mobile Telecommunications Systems（ＵＭＴＳ）と呼ばれる第３世代無線システムの無線アクセススキーマに合意した。ＵＭＴＳ標準の高度な実装のために、１９９８年１２月に第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）が結成された。３ＧＰＰは、一般的な第３世代モバイル無線標準規格への取り組みを続けている。
【０００４】
現在の３ＧＰＰ仕様による一般的なＵＭＴＳシステムが図１に示されている。ＵＭＴＳのネットワークアーキテクチャには、Ｉｕとして知られるインターフェースを介してＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）と相互接続されるコアネットワーク（ＣＮ：Ｃｏｒｅ  Ｎｅｔｗｏｒｋ）が含まれる。Ｉｕインターフェースは、現在公的に入手可能な３ＧＰＰ仕様のドキュメントで詳細に定義されている。ＵＴＲＡＮは、３ＧＰＰではユーザ装置（ＵＥ：Ｕｓｅｒ  Ｅｑｕｉｐｍｅｎｔ）として知られる無線送受信ユニット（ＷＴＲＵ）を介してＵｕとして知られる無線インターフェース経由でユーザに無線通信サービスを提供するように構成されている。ＵＴＲＡＮは、１つまたは複数の無線ネットワークコントローラ（ＲＮＣ：Ｒａｄｉｏ  Ｎｅｔｗｏｒｋ  Ｃｏｎｔｒｏｌｌｅｒ）および３ＧＰＰではＮｏｄｅ  Ｂとして知られる基地局を備えており、全体としてＵＥによる無線通信の地理上のカバリッジを提供する。１つまたは複数のＮｏｄｅ  Ｂは、３ＧＰＰではＩｕｂとして知られるインターフェースを経由してそれぞれのＲＮＣに接続する。ＵＴＲＡＮには、異なるＲＮＣに接続するＮｏｄｅ  Ｂのいくつかのグループが含まれていてもよい。例えば、図１の例には２つのグループが示されている。ＵＴＲＡＮに複数のＲＮＣが提供されている場合に、ＲＮＣ間の通信はＩｕｒインターフェースを経由して行われる。
【０００５】
ネットワークコンポーネントの外部の通信は、ユーザレベルではＮｏｄｅ  ＢによってＵｕインターフェースを介して行われ、ネットワークレベルではＣＮによって外部システムへの様々なＣＮ接続を介して行われる。
【０００６】
ＣＮは、情報をその正しいあて先にルーティングする役割を果たす。例えば、ＣＮはＮｏｄｅ  Ｂのいずれかを介してＵＭＴＳが受信するＵＥからの音声トラフィックを公衆交換電話網（ＰＳＴＮ）にルーティングしてもよいし、インターネットに割り当てられたパケットデータにルーティングしてもよい。３ＧＰＰにおいて、ＣＮは、１）サービング（ｓｅｒｖｉｎｇ）Ｇｅｎｅｒａｌ  Ｐａｃｋｅｔ  Ｒａｄｉｏ  Ｓｅｒｖｉｃｅ（ＧＰＲＳ）サポートノード、２）ゲートウェイＧＰＲＳサポートノード、３）（ｂｏｒｄｅｒ  ｇａｔｅｗａｙ）、４）ＶＬＲ（ｖｉｓｉｔｏｒ  ｌｏｃａｔｉｏｎ  ｒｅｇｉｓｔｅｒ）、５）移動通信交換局、６）ゲートウェイ移動通信交換局（ｇａｔｅｗａｙ  ｍｏｂｉｌｅ  ｓｅｒｖｉｃｅｓ  ｓｗｉｔｃｈｉｎｇ  ｃｅｎｔｅｒ）の６つの主要コンポーネントを備えている。サービングＧＰＲＳサポートノードを使用すると、インターネットなどのパケット交換ドメインにアクセスできる。ゲートウェイＧＰＲＳサポートノードは、他のネットワークに接続するためのゲートウェイノードである。他のオペレータのネットワークまたはインターネットに送信されるすべてのデータトラフィックは、ゲートウェイＧＰＲＳサポートノードを通過する。ボーダーゲートウェイは、ファイアウォールとして動作し、ネットワーク外部からの侵入者によるネットワーク領域内の加入者への攻撃を防止する。ＶＬＲは、サービスを提供するために必要な加入者データの最新のサービングネットワークコピーである。この情報は、初めにモバイル加入者を管理するデータベースから取得される。移動通信交換局は、ＵＭＴＳ端末からネットワークへの「回線交換」接続を担当する。ゲートウェイ移動通信交換局は、加入者の現在の位置に基づいて要求されるルーティング機能を実現する。ゲートウェイモバイルサービス交換センターは、外部ネットワークの加入者からの接続要求を受け取り、管理する。
【０００７】
ＲＮＣは、一般にＵＴＲＡＮの内部機能を制御する。ＲＮＣは、Ｎｏｄｅ  ＢとのＵｕインターフェース接続を経由したローカルコンポーネントと、ＣＮと外部システムとの接続を経由した外部サービスコンポーネントとを備える通信のための中継サービスも提供する（例えば、国内のＵＭＴＳの携帯電話からの海外呼び出し）。
【０００８】
一般に、ＲＮＣは複数の基地局を監視し、Ｎｏｄｅ  Ｂが提供する無線サービスの対象となる地理上の領域内の無線リソースを管理し、さらにＵｕインターフェースの物理的無線リソースを制御する。３ＧＰＰでは、ＲＮＣのＩｕインターフェースはＣＮへの２つの接続、つまり１つはパケット交換ドメイン、もう１つは回路交換ドメインへの接続を提供する。ＲＮＣのその他の重要な機能には、機密保護と整合性の保護がある。
【０００９】
一般に、Ｎｏｄｅ  Ｂなどの基地局の主な機能は、基地局のネットワークとＷＴＲＵとの間に無線接続を提供することである。通常、基地局から発信される共通チャネル信号（ｃｏｍｍｏｎ  ｃｈａｎｎｅｌ  ｓｉｇｎａｌ）によって、接続されていないＷＴＲＵは基地局のタイミングに同期することができる。３ＧＰＰにおいて、Ｎｏｄｅ  ＢはＵＥとの物理的な無線接続を行う。Ｎｏｄｅ  Ｂは、ＲＮＣからＩｕｂインターフェースを経由して信号を受信する。ＲＮＣは、Ｎｏｄｅ  ＢがＵｕインターフェースを経由して送信する無線信号を制御する。３ＧＰＰ通信システムのＵｕ無線インターフェースはユーザデータを送信し、ＵＥとＮｏｄｅ  Ｂとの信号伝達を行う送信チャネル（ＴｒＣＨ：Ｔｒａｎｓｐｏｒｔ  Ｃｈａｎｎｅｌｓ）を使用する。チャネルは、一般に共有チャネル（Ｓｈａｒｅｄ  Ｃｈａｎｎｅｌｓ）、すなわち同時に複数のＵＥに使用できるチャネルとして、または専用チャネル（ＤＣＨ：ｄｅｄｉｃａｔｅｄ  ｃｈａｎｎｅｌ）、すなわち無線通信の間に特定のＵＥで使用するために割り当てられるチャネルとして指定される。
【００１０】
多くの無線通信システムにおいて、適応的な送信電力制御アルゴリズムが使用され、ＷＴＲＵの送信電力を制御している。このようなシステムでは、多くのＷＴＲＵが同じ無線周波数スペクトルを共有できる。特定の通信を受信する場合は、同じスペクトルで送信される他のすべての通信がこの特定の通信への干渉の原因となる。結果として、１つの通信の送信電力レベルを上げることによってそのスペクトル内にある他のすべての通信の信号品質が低下する。しかし、送信電力レベルを極度に下げると、受信機の信号対干渉比（ＳＩＲ：ｓｉｇｎａｌ  ｔｏ  ｉｎｔｅｒｆｅｒｅｎｃｅ  ｒａｔｉｏ）で測定されるように、望ましくない受信信号品質となってしまう。
【００１１】
無線通信システムの出力電力を制御する様々な方法は当業者には周知である。無線通信システムのためのオープンループ電力制御システムの例は、図２に示されている。こうしたシステムの目的は、フェージング伝搬チャネル（ｆａｄｉｎｇ  ｐｒｏｐａｇａｔｉｏｎ  ｃｈａｎｎｅｌ）と時間によって変動する干渉によって送信機の出力が最小になる場合に、離れた端末で許容できる品質のデータを受信することを保証しながら、送信電力を迅速に変化させることである。
【００１２】
第３世代パートナーシッププロジェクト（３ＧＰＰ）の時分割多重（ＴＤＤ：Ｔｉｍｅ  Ｄｉｖｉｓｉｏｎ  Ｄｕｐｌｅｘ）システムと周波数分割多重（ＦＤＤ）システムなどの通信システムにおいて、データ転送速度を変更できる共有チャネルと専用チャネルを組み合わせて、送信が行われる。３ＧＰＰワイドバンドＣＤＭＡ（ＷＣＤＭＡ：ｗｉｄｅｂａｎｄ  ＣＤＭＡ）システムでは、電力制御がリンクアダプテーション方法として使用される。ＤＰＣＨの送信電力を調整し、最小の送信電力レベルでサービス品質（ＱｏＳ：ｑｕａｌｉｔｙ  ｏｆ  ｓｅｒｖｉｃｅ）を実現する、したがってシステム内の干渉レベルを制限する動的な電力制御は、専用物理チャネル（ＤＰＣＨ：ｄｅｄｉｃａｔｅｄ  ｐｈｙｓｉｃａｌ  ｃｈａｎｎｅｌ）に適用される。
【００１３】
電力制御の１つの慣例的なアプローチは、送信電力制御を個別のプロセスに分割することであり、外部ループ電力制御（ＯＬＰＣ：ｏｕｔｅｒ  ｌｏｏｐ  ｐｏｗｅｒ  ｃｏｎｔｒｏｌ）および内部ループ電力制御（ＩＬＰＣ：ｉｎｎｅｒ  ｌｏｏｐ  ｐｏｗｅｒ  ｃｏｎｔｒｏｌ）と呼ばれる。電力制御システムは、一般に内部ループが開いているか閉じているかによってオープンまたはクロ−ズドと言われる。通常、アップリンク通信を行う３ＧＰＰシステムにおいて、両方のタイプのシステムの外部ループはクロ−ズドループである。図２に示すＷＣＤＭＡオープンループタイプのシステムの例の内部ループはオープンループである。
【００１４】
外部ループの電力制御において、特定の送信機の出力レベルは通常はターゲットＳＩＲ値などの目標値に基づいている。受信機では、その送信信号を受信するときに、受信信号の品質が測定される。３ＧＰＰシステムにおいて、送信された情報は送信ブロック（ＴＢ：ｔｒａｎｓｐｏｒｔ  ｂｌｏｃｋ）単位で送信され、受信した信号の品質はブロックエラーレート（ＢＬＥＲ：ｂｌｏｃｋ  ｅｒｒｏｒ  ｒａｔｅ）ベースで監視できる。ＢＬＥＲは、受信機で通常はデータの巡回冗長検査（ＣＲＣ：ｃｙｃｌｉｃ  ｒｅｄｕｎｄａｎｃｙ  ｃｈｅｃｋ）によって評価される。この評価されたＢＬＥＲは、ターゲットＢＬＥＲ、チャネル上の様々なタイプのデータサービスに関するＱｏＳ要求条件の代表値など、ターゲット品質要求条件と比較される。測定された受信信号品質に基づいて、ターゲットＳＩＲ調整制御信号が生成され、ターゲットＳＩＲはこうした調整制御信号に応じて調整される。
【００１５】
内部ループの電力制御において、受信機は受信信号品質の測定値（ＳＩＲなど）をしきい値と比較する。ＳＩＲがしきい値を上回る場合は、出力レベルを下げる送信電力コマンド（ＴＰＣ：ｔｒａｎｓｍｉｔ  ｐｏｗｅｒ  ｃｏｍｍａｎｄ）が送信される。ＳＩＲがしきい値を下回る場合は、出力レベルを上げるＴＰＣが送信される。通常、ＴＰＣは送信機への専用チャネル内のデータで多重化されて送信される。送信機は、受信したＴＰＣに応じてその送信電力レベルを変更する。
【００１６】
従来、３ＧＰＰシステムの外部ループ電力制御アルゴリズムは、ＢＬＥＲとＳＩＲとの固定のマッピングを使用し、特定のチャネル条件を仮定した上で、各ＣＣＴｒＣＨ（ｃｏｄｅｄ  ｃｏｍｐｏｓｉｔｅ  ｔｒａｎｓｐｏｒｔ  ｃｈａｎｎｅｌ）に対して要求されたターゲットＢＬＥＲに基づいて、初期ターゲットＳＩＲを設定する。ＣＣＴｒＣＨは、複数の送信チャネル（ＴｒＣＨ：ｔｒａｎｓｐｏｒｔ  ｃｈａｎｎｅｌ）を多重化することによって、物理無線チャネル上で様々なサービスを（サービスごとに独自のＴｒＣＨ上で）送信するために一般的に採用されている。ＣＣＴｒＣＨベースでＢＬＥＲレベルを監視するために、検討しているＣＣＴｒＣＨに多重化される送信チャネルの中から参照送信チャネル（ＲＴｒＣＨ：ｒｅｆｅｒｅｎｃｅ  ｔｒａｎｓｐｏｒｔ  ｃｈａｎｎｅｌ）を選択してもよい。
【００１７】
３ＧＰＰシステムのＷＴＲＵで送信される専用チャネルのアップリンク電力制御は、図２に示す例のようにクローズしている外部ループとオープンの内部ループで構成される。クロ−ズしている外部ループは、特定のＷＴＲＵで実行されるアップリンク送信のＳＩＲターゲットを決定する役割を果たす。ＳＩＲターゲットの初期値は、制御ＲＮＣ（Ｃ−ＲＮＣ：Ｃｏｎｔｒｏｌｌｉｎｇ  ＲＮＣ）によって決定され、さらにアップリンクＣＣＴｒＣＨ品質の測定値に基づいてサービングＲＮＣ（Ｓ−ＲＮＣ：Ｓｅｒｖｉｎｇ  ＲＮＣ）によって調整されてもよい。ここで、Ｓ−ＲＮＣはＳＩＲターゲットの更新をＷＴＲＵに送信する。オープンの内部ループは、フレームごとにサービングセルのＰ−ＣＣＰＣＨ受信信号コード出力（ＲＳＣＰ：ｒｅｃｅｉｖｅｄ  ｓｉｇｎａｌ  ｃｏｄｅ  ｐｏｗｅｒ）を測定し、Ｎｏｄｅ  ＢとＷＴＲＵとの間のパスロスを計算するＷＴＲＵによるアップリンク送信電力を計算する。パスロスとＳＩＲターゲットおよびＵＬ  ＣＣＴｒＣＨのＵＬタイムスロット干渉信号コード出力（ＩＳＣＰ：ｉｎｔｅｒｆｅｒｅｎｃｅ  ｓｉｇｎａｌ  ｃｏｄｅ  ｐｏｗｅｒ）のＵＴＲＡＮ送信値に基づいて、ＷＴＲＵは専用物理チャネル（ＰＤＰＣＨ）の送信電力を計算する。
【００１８】
さらに、ＣＣＴｒＣＨの個々のＤＰＣＨ（ＤＰＣＨｉ）は、様々なＤＰＣＨで使用する様々な拡散係数を補償する重み係数γｉによって、個々に重み付けされる。さらに、各タイムスロットのＤＰＣＨは、複雑な加算を使用して結合される。
【００１９】
物理チャネルを結合した後で、ＣＣＴｒＣＨのゲイン係数βが適用される。ゲイン係数は、ＣＣＴｒＣＨに割り当てられた様々なＴＦＣの送信電力要求条件の差を補償する。つまり、各ＴＦＣはコードコンポジット送信チャネル（ＣＣＴｒＣＨ：Ｃｏｄｅｄ  Ｃｏｍｐｏｓｉｔｅ  Ｔｒａｎｓｐｏｒｔ  Ｃｈａｎｎｅｌ）の送信チャネルのそれぞれからのデータの様々な組合せを表している。個々の組合せによって、ＣＣＴｒＣＨ内の各ＴｒＣＨに適用する様々な量の繰り返し（ｒｅｐｅｔｉｔｉｏｎ）またはパンクチャリング（ｐｕｎｃｔｕｒｉｎｇ）が得られる。パンクチャリング／繰り返しは特定の信号対ノイズ比（Ｅｂ／Ｎｏ）を得るために必要な送信電力に影響を及ぼすので、適用するゲイン係数は使用するＴＦＣによって変わる。すなわち、ＣＣＴｒＣＨのＴＦＣごとにゲイン係数は独自のものである。ゲイン係数βｊの値は、ＣＣＴｒＣＨのｊ番目のＴＦＣに適用される。このプロセスは図３に概念的に示されており、例えば、専用チャネルＤＰＣＨ１とＤＰＣＨ２はＴｒＣＨのｊ番目のＴＦＣのデータを搬送する。
【００２０】
βｊの値は、ＴＦＣｊごとに明示的にＷＴＲＵに送信できる。または、ＲＮＣ内の無線リソース制御（ＲＲＣ：ｒａｄｉｏ  ｒｅｓｏｕｒｃｅ  ｃｏｎｔｒｏｌ）によって、ＵＥが、明示的に送信された参照ＴＦＣの値に基づいて、ＴＦＣごとのβｊを計算する必要があることを示すこともできる。この計算は、従来、レートマッチングパラメータ（ｒａｔｅ  ｍａｔｃｈｉｎｇ  ｐａｒａｍｅｔｅｒｓ）と、リソース単位が例えば１つのＳＦ１６コードとして定義された場合は、指定されたＴＦＣｊおよび参照ＴＦＣに必要なリソース単位の数に基づいて行われる。ＳＦ  １６コードのみによる物理チャネル設定の場合は、リソース単位（ＲＵ）の数がコードの数に等しくなる。すべてＳＦ  １６ではないコードによる設定の場合は、ＲＵの数がＳＦ  １６コードの数に等しくなる。個々の拡散係数の等価性は、１  ＳＦ８コード＝２  ＲＵ、１  ＳＦ４コード＝４  ＲＵ、１  ＳＦ２コード＝８  ＲＵ、１  ＳＦ  １コード＝１６  ＲＵである。
【００２１】
第１の方法は「送信されたゲイン係数」、第２の方法は「計算されたゲイン係数」と呼ばれる。
【００２２】
加入者ＷＴＲＵで参照ＴＦＣに基づいて係数βを計算する従来の方法は、次のようにして提供される。
【００２３】
βｒｅｆは送信された参照ＴＦＣのゲイン係数を表し、βｊはｊ番目のＴＦＣのゲイン係数を表すものとする。
【００２４】
変数
【００２５】
【数１】
2007507165.tif 000003
【００２６】
を定義する。
【００２７】
ただし、ＲＭｉは送信チャネルｉの半静的（ｓｅｍｉ−ｓｔａｔｉｃ）レートマッチング属性、Ｎｉは送信チャネルｉの無線フレームセグメンテーションブロック（ｒａｄｉｏ  ｆｒａｍｅ  ｓｅｇｍｅｎｔａｔｉｏｎ  ｂｌｏｃｋ）から出力されたビットの数であり、参照ＴＦＣ内のすべての送信チャネルｉについて合計する。
【００２８】
同様に、変数
【００２９】
【数２】
2007507165.tif 000004
【００３０】
を定義する。
【００３１】
ここで、ｊ番目のＴＦＣ内のすべての送信チャネルｉについて合計する。
【００３２】
さらに、変数
【００３３】
【数３】
2007507165.tif 000005
【００３４】
を定義する。
【００３５】
ここで、ＳＦｉはＤＰＣＨｉの拡散係数であり、参照ＴＦＣ内で使用するすべてのＤＰＣＨｉについて合計する。
【００３６】
同様に、変数
【００３７】
【数４】
2007507165.tif 000006
【００３８】
を定義する。
【００３９】
ここで、ｊ番目のＴＦＣ内で使用するすべてのＤＰＣＨｉについて合計する。
【００４０】
ｊ番目のＴＦＣのゲイン係数βｊは、従来は次のように計算される。
【００４１】
【数５】
2007507165.tif 000007
【００４２】
参照ＴＦＣを送信する代わりに、各ＴＦＣのゲイン係数の値をＲＮＣ内で決定し、ＷＴＲＵに送信することもできる。
【発明の開示】
【発明が解決しようとする課題】
【００４３】
しかしながら、現在の標準規格ではＷＴＲＵに送信する送信されたゲイン係数の値を決定する方法を定義していない。発明者は、ＴＦＣのゲイン係数を、参照ＴＦＣに適用できるゲイン係数に比例させることによって、ＴＦＣのゲイン係数の計算を改善できることを認識している。この改善は、「送信されたゲイン係数」と「計算されたゲイン係数」の両方に適用できる。
【００４４】
従来のシステムにおいて発生する別の問題は、再構成（ｒｅｃｏｎｆｉｇｕｒａｔｉｏｎ）中のアップリンク電力制御の維持に関連する。物理チャネルの再構成においてＣＣＴｒＣＨに使用する拡散係数を変更する場合に、各ＴＦＣのパンクチャリング／繰り返しは再構成の前と後で異なってもよい。従来、ゲイン係数はＴＦＣの中の相対的なパンクチャリング／繰り返しによって変わるので、再構成の前に使用するゲイン係数は再構成の後のパンクチャリング／繰り返しに対応しなくてもよい。
【００４５】
発明者は、このことによってＴＦＣの新しいパンクチャリング／繰り返しに基づいて再収束するための電力制御の必要性が発生することを認識している。パンクチャリング／繰り返しに関連する再構成の後で、同じ出力レベルによって得られたものでない新しいゲイン係数が計算または選択された場合は、再収束することが必要である。再収束の必要性を軽減するために、発明者は次の作業が有効であることを認識している。  
・  再構成の前と後に適切な参照ＴＦＣと参照ゲイン係数値を選択する。  
・  再構成の後で使用する新しい参照ＴＦＣを選択する（参照ゲイン係数は再構成の前と後で同じに維持される）。  
・  再構成の後で使用する新しい参照ゲイン係数を選択する（参照ＴＦＣは再構成の前と後で同じに維持される）。および／または、
・  再構成の後で使用する新しいＳＩＲターゲットを選択する。
【課題を解決するための手段】
【００４６】
無線通信の送信電力を制御するためのゲイン係数を決定する装置および方法を提供する。実装は、同時に送信されている複数のチャネルを使用して無線送受信ユニット（ＷＴＲＵ）間において無線通信を行う通信システムと組み合わせるのが好ましい。
【００４７】
本発明の１つの態様において、選択されたチャネルの組合せでデータを搬送するフォワードコンポジットチャネル（ｆｏｒｗａｒｄ  ｃｏｍｐｏｓｉｔｅ  ｃｈａｎｎｅｌ）を経由して、信号を送信するＷＴＲＵの送信電力を制御する方法が提供される。この方法において、ＷＴＲＵは、フォワードチャネルを経由して受信したデータ信号に基づいて計算されたターゲットメトリックス（ｔａｒｇｅｔ  ｍｅｔｒｉｃｓ）の関数として、フォワードチャネルの出力電力調整を行うように構成されている。参照ゲイン係数βｒｅｆは、参照となるチャネルの組合せに対して決定される。フォワードコンポジットチャネルを経由してデータを送信するためのチャネルの組合せが選択される。選択されたチャネルの組合せが参照となるチャネルの組合せと同じでない場合は、選択されたチャネルの組合せに対するゲイン係数βは、選択されたチャネルの組合せに対するゲイン係数βが参照ゲイン係数βｒｅｆに比例するように計算される。選択されたチャネルの組合せに対するゲイン係数βは、さらにフォワードコンポジットチャネルを経由してデータ信号を送信する場合に、フォワードチャネルの出力電力調整を行うときに、選択されたチャネルの組合せを使用するフォワードコンポジットチャネルに適用される。
【００４８】
ＷＴＲＵは、符号分割多重アクセス（ＣＤＭＡ）システムで使用するように構成されており、データチャネルは送信チャネル（ＴｒＣＨ）であり、コンポジットチャネルはアップリンクコードコンポジット送信チャネル（ＣＣＴｒＣＨ）であり、送信フォーマット組合せ（ＴＦＣ：ｔｒａｎｓｐｏｒｔ  ｆｏｒｍａｔ  ｃｏｍｂｉｎａｔｉｏｎ）は、ＣＣＴｒＣＨのあらかじめ定義された一連のフォーマットチャネル組合せのそれぞれに関連付けられている。ここで、フォーマットチャネル組合せの１つが参照となるチャネルの組合せ（ＴＦＣｒｅｆ）である。このような場合は、フォワードコンポジットチャネルを経由してデータを送信するのにｊ番目のチャネルの組合せＴＦＣｊが選択され、選択されたチャネルの組合せに対して、βｊ＝Ｘ×βｒｅｆとなるようなゲイン係数βｊが計算される。ゲイン係数βｊは、ＷＴＲＵで計算することも、ＷＴＲＵの外部において計算することもできる。ＷＴＲＵの外部で計算する場合は、ＷＴＲＵに送信される。後者の場合に、ゲイン係数はＷＴＲＵに送信される前に量子化されるのが好ましい。
【００４９】
実装するために、送信機、受信機、および関連付けられたプロセッサを備えるＷＴＲＵが提供される。送信機は、選択されたチャネルの組合せで通信データを搬送するフォワードコンポジットチャネルを経由して、信号を送信するように構成されるのが好ましい。受信機は、フォワードチャネルを経由して受信した通信データ信号に基づいて計算されたターゲットメトリックスを受信するように構成されるのが好ましい。関連付けられたプロセッサは、送信機で動作でき、受信したターゲットメトリックスデータの関数としてフォワードチャネルの出力電力調整を行うように構成されるのが好ましい。プロセッサはフォワードコンポジットチャネルを経由してデータを送信するために選択されたチャネルの組合せによる送信機の出力を制御するためのゲイン係数を適用するように構成される。そして、選択されたチャネル組合せが参照となるチャネル組合せと同じでない場合には、選択されたチャネル組合せに関するゲイン係数が、参照となるチャネルの組合せに対して決定された参照ゲイン係数に比例するように、計算されるのが好ましい。
【００５０】
ＷＴＲＵは、符号分割多重アクセス（ＣＤＭＡ）システムで使用されるように構成され、データチャネルは送信チャネル（ＴｒＣＨ）であり、コンポジットチャネルはアップリンクコードコンポジット送信チャネル（ＣＣＴｒＣＨ）であり、送信フォーマット組合せ（ＴＦＣ）は、フォーマットチャネル組合せの１つが参照ゲイン係数βｒｅｆを備える参照となるチャネルの組合せ（ＴＦＣｒｅｆ）であり、ｊ番目のチャネルの組合せＴＦＣｊはフォワードコンポジットチャネルを経由してデータを送信するために選択されたチャネルの組合せであるようなＣＣＴｒＣＨのあらかじめ定義された一連のフォーマットチャネルの組合せのそれぞれに関連付けられているのが好ましい。このような場合に、プロセッサは選択されたチャネルの組合せＴＦＣｊに対して、βｊ＝Ｘ×βｒｅｆとなるようなゲイン係数βｊを適用し、計算するように構成されるのが好ましい。
【００５１】
本発明には、選択されたチャネルの組合せで通信データを搬送するフォワードコンポジットチャネルを経由して信号を送信する送信ユニットの送信電力制御を支援するように構成されたＷＴＲＵを提供することが含まれる。ただし、送信ユニットは、ＷＴＲＵで決定されたゲイン係数の関数として、フォワードチャネルの出力電力調整を行うように構成されている。こうしたＷＴＲＵは、フォワードコンポジットチャネル上で選択されたチャネルの組合せを経由して送信ユニットから送信された通信信号を受信するように構成された受信機と、送信機およびプロセッサを備えるのが好ましい。プロセッサは、フォワードコンポジットチャネルを経由して受信した選択されたチャネルの組合せに対して、ゲイン係数βを計算するように構成され、選択されたチャネルの組合せが参照となるチャネルの組合せである場合は、ゲイン係数βが参照ゲイン係数βｒｅｆとなるように決定され、それ以外の場合は参照ゲイン係数βｒｅｆに比例するように計算されるのが好ましい。送信機は、ゲイン係数βを反映するデータを送信ユニットに送信するように構成され、それによって送信ユニットがフォワードチャネルの出力電力調整を行うことができるようにするのが好ましい。送信ユニットがＷＴＲＵで計算されたターゲットメトリックスの関数としてフォワードチャネルの出力電力調整を行うように構成されている場合に、ＷＴＲＵは、ＷＴＲＵの送信機に関連して動作できるフォワードチャネルを経由して受信したデータ信号に基づいて、ターゲットメトリックスを計算するように構成されたプロセッサを備えている。そして、その計算されたターゲットメトリックスデータは送信ユニットに送信され、それに基づいて送信ユニットはフォワードチャネルの出力電力調整を行うようにするのが好ましい。
【００５２】
このようなＷＴＲＵは、符号分割多重アクセス（ＣＤＭＡ）システムで使用されるように構成されるのが好ましい。ただし、データチャネルは送信チャネル（ＴｒＣＨ）であり、コンポジットチャネルはアップリンクコードコンポジット送信チャネル（ＣＣＴｒＣＨ）であり、さらに、送信フォーマット組合せ（ＴＦＣ）は、フォーマットチャネル組合せの１つが参照となるチャネルの組合せ（ＴＦＣｒｅｆ）である場合、ＣＣＴｒＣＨのあらかじめ定義された一連のフォーマットチャネル組合せのそれぞれに関連付けられている。このような場合に、ネットワークステーションのプロセッサは、選択されたチャネルの組合せに対して、ｊ番目のチャネルの組合せＴＦＣｊが送信ユニットでフォワードコンポジットチャネル上のデータ送信のための選択されたチャネル組合せである場合はゲイン係数を計算するように構成されるのが好ましい。ただし、ＴＦＣｊはＴＦＣｒｅｆではなく、ゲイン係数βｊは選択されたチャネル組合せに対してβｊ＝Ｘ×βｒｅｆとなるように計算される。プロセッサは、ゲイン係数βｊを量子化するように構成され、送信機はこの量子化されたゲイン係数βｊを送信ユニットに送信するように構成されるのが好ましい。
【００５３】
本発明の別の態様により、フォワードコンポジットチャネルの選択された物理送信設定に関連して、選択されたチャネルの組合せでデータを搬送するフォワードコンポジットチャネルを経由して通信信号を送信するＷＴＲＵの送信電力を制御する方法が提供される。通信信号は、そのフォワードコンポジットチャネルの第１の物理送信設定に対して、フォワードコンポジットチャネルを経由して選択されたチャネルの組合せで送信される。参照となるチャネルの組合せは、フォワードコンポジットチャネルのその第１の物理送信設定に対して決定される。ゲイン係数βは、フォワードコンポジットチャネルのその第１の物理送信設定に対して、選択されたチャネルの組合せによる通信信号の送信に適用される。ただし、ゲイン係数βは、フォワードコンポジットチャネルのその第１の物理送信設定に対して、選択されたチャネルの組合せと参照となるチャネルの組合せの拡散係数に基づいて決定される。フォワードコンポジットチャネル内の通信信号の送信は、フォワードコンポジットチャネルの第２の物理送信設定に対して、選択されたチャネルの組合せで送信するように再構成される。参照となるチャネルの組合せは、フォワードコンポジットチャネルの第２の物理送信設定に対して決定される。ゲイン係数βは、フォワードコンポジットチャネルの第２の物理送信設定に対して、選択されたチャネルの組合せによる通信信号の送信に適用される。ただし、ゲイン係数βはフォワードコンポジットチャネルの第２の物理送信設定に対して、選択されたチャネルの組合せと参照となるチャネルの組合せの拡散係数に基づいて決定される。
【００５４】
ＷＴＲＵは符号分割多重アクセス（ＣＤＭＡ）システムで使用されるように構成されている場合に、データチャネルはコンポジットチャネルの様々な物理送信設定に対応する様々な拡散係数をとり得る送信チャネル（ＴｒＣＨ）であり、コンポジットチャネルはアップリンクコードコンポジット送信チャネル（ＣＣＴｒＣＨ）であり、送信フォーマット組合せ（ＴＦＣ）は、すべての物理送信設定に対して定義されたＣＣＴｒＣＨのあらかじめ定義された一連のフォーマットチャネル組合せのそれぞれに関連付けられている。そして、フォワードコンポジットチャネルの第１の物理送信設定に対する参照となるチャネルの組合せは、あらかじめ定義された一連のフォーマットチャネルの組合せの１つ、すなわちゲイン係数βｒｅｆ１に関連付けられたＴＦＣｒｅｆ１であるように決定されるのが好ましい。フォワードコンポジットチャネルの第２の物理送信設定に対して、参照となるチャネルの組合せはあらかじめ定義された一連のフォーマットチャネル組合せの１つ、すなわちゲイン係数βｒｅｆ２に関連付けられたＴＦＣｒｅｆ２であるように決定されるのが好ましい。
【００５５】
第１および第２の物理チャネル設定に対して同様のパンクチャリング／繰り返しをもたらす共通のＴＦＣが識別された場合に、この共通のＴＦＣは参照となるチャネル組合せＴＦＣｒｅｆ１であり、さらに参照となるチャネル組合せＴＦＣｒｅｆ２でもあると決定され、ゲイン係数βｒｅｆ２はゲイン係数βｒｅｆ１と等しくなるように選択されるのが好ましい。１つの代替策として、参照となるチャネルの組合せＴＦＣｒｅｆ２は、第１の物理チャネル設定に対して参照となるチャネルの組合せＴＦＣｒｅｆ１がもたらすパンクチャリング／繰り返しと比較した場合に、第２の物理チャネル設定に対して同様のパンクチャリング／繰り返しをもたらすＴＦＣを識別することによって決定でき、さらにゲイン係数βｒｅｆ２はゲイン係数βｒｅｆ１と等しくなるように選択される。別の代替策として、参照となるチャネル組合せＴＦＣｒｅｆ２は、参照となるチャネル組合せＴＦＣｒｅｆ１と同じＴＦＣになるように選択でき、さらにゲイン係数βｒｅｆ２はゲイン係数βｒｅｆ１に基づいて選択され、フォワードコンポジットチャネルの第１の物理設定と第２の物理設定とでは、参照となるチャネルの組合せにおける拡散係数が変化する。
【００５６】
フォワードコンポジットチャネルの第１の物理送信設定に対してデータを送信するためにｊ番目のチャネルの組合せＴＦＣｊが選択され、選択されたチャネルの組合せに対してβｊ＝Ｘ＊βｒｅｆ１となるように計算されたゲイン係数βｊが適用されるのが好ましい。ただし、Ｘはそのフォワードコンポジットチャネルの第１の物理送信設定に対して、ＴＦＣｊおよびＴＦＣｒｅｆ１の拡散係数に基づいている。フォワードコンポジットチャネルの第２の物理送信設定に対してデータを送信するためにｋ番目のチャネルの組合せＴＦＣｋが選択され、選択されたチャネルの組合せに対してβｋ＝Ｘ’＊βｒｅｆ２となるように計算されたゲイン係数βｋが適用されるのが好ましい。ただし、Ｘ’はフォワードコンポジットチャネルの第２の物理送信設定に対して、ＴＦＣｋおよびＴＦＣｒｅｆ２の拡散係数に基づいている。
【００５７】
実装のために、送信機、受信機、および関連付けられたプロセッサを備えるＷＴＲＵが提供される。送信機は、フォワードコンポジットチャネルの選択された物理送信設定に対して、選択されたチャネルの組合せでデータを搬送するフォワードコンポジットチャネル内の通信信号を送信するように構成される。プロセッサは、フォワードコンポジットチャネルの選択された物理送信設定に対して、参照となるチャネルの組合せに基づくゲイン係数を適用するとともに、フォワードチャネルを経由して受信したデータ信号に基づいて計算されたターゲットメトリックスの関数としてフォワードチャネルの出力電力調整を行うように構成されるのが好ましい。送信機は、フォワードコンポジットチャネルの第１の物理送信設定に対して選択された第１のチャネルの組合せによる送信からフォワードコンポジットチャネルの第２の物理送信設定に対して選択された第２のチャネルの組合せによる送信に、フォワードコンポジットチャネル内において通信信号の送信を再構成するようにさらに構成されているのが好ましい。プロセッサは、フォワードコンポジットチャネルのそれぞれの物理送信設定に対して、選択されたチャネルの組合せと参照となるチャネルの組合せの拡散係数に基づいて決定されるようなゲイン係数を計算し、フォワードコンポジットチャネルのそれぞれの物理送信設定に対して、そのゲイン係数を選択されたチャネルの組合せによる通信信号の送信に適用するように、さらに構成されるのが好ましい。
【００５８】
こうしたＷＴＲＵは、符号分割多重アクセス（ＣＤＭＡ）システムで使用されるように構成されており、この場合、データチャネルは、コンポジットチャネルの様々な物理設定に対応する様々な拡散係数をとることができる送信チャネル（ＴｒＣＨ）であり、コンポジットチャネルはアップリンクコードコンポジット送信チャネル（ＣＣＴｒＣＨ）であり、さらに、送信フォーマット組合せ（ＴＦＣ）はすべての物理設定に対して定義されたＣＣＴｒＣＨのあらかじめ定義された一連のフォーマットチャネル組合せのそれぞれに関連付けられているのが好ましい。このような場合に、プロセッサは、フォワードコンポジットチャネルの第１の物理送信設定に対して、あらかじめ定義された一連のフォーマットチャネル組合せから、ゲイン係数βｒｅｆ１に関連付けられた参照となるチャネルの組合せＴＦＣｒｅｆ１を選択し、フォワードコンポジットチャネルの第２の物理送信設定に対して、あらかじめ定義された一連のフォーマットチャネルの組合せから、ゲイン係数βｒｅｆ２に関連付けられた参照となるチャネルの組合せＴＦＣｒｅｆ２を選択するように構成されるのが好ましい。
【００５９】
プロセッサは、第１および第２の物理チャネル設定に対して同様のパンクチャリング／繰り返しをもたらす共通のＴＦＣを識別し、この共通のＴＦＣを参照となるチャネルの組合せＴＦＣｒｅｆ１としても、参照となるチャネルの組合せＴＦＣｒｅｆ２としても選択し、さらにゲイン係数βｒｅｆ１と等しいゲイン係数βｒｅｆ２を選択するように構成できる。このプロセッサは、第１の物理チャネル設定に対して参照となるチャネルの組合せＴＦＣｒｅｆ１がもたらすパンクチャリング／繰り返しと比較した場合に、第２の物理チャネル設定に対して同様のパンクチャリング／繰り返しをもたらすＴＦＣを識別することによって参照となるチャネルの組合せＴＦＣｒｅｆ１を選択し、さらにゲイン係数βｒｅｆ１と等しいゲイン係数βｒｅｆ２を選択するように構成できる。このプロセッサは、参照となるチャネルの組合せＴＦＣｒｅｆ２を参照となるチャネルの組合せＴＦＣｒｅｆ１と同じＴＦＣになるように選択し、ゲイン係数βｒｅｆ１に基づいてゲイン係数βｒｅｆ２を計算するように構成でき、さらにフォワードコンポジットチャネルの第１の物理設定から第２の物理設定への間において参照となるチャネルの組合せ内の拡散係数が変化する。フォーマットチャネルの組合せの１つが選択された参照となるチャネルの組合せＴＦＣｒｅｆであり、ｊ番目のチャネルの組合せＴＦＣｊがフォワードコンポジットチャネル上のデータ送信のために選択されたチャネルの組合せである場合に、プロセッサは、選択されたチャネルの組合せＴＦＣｊに対して、βｊ＝Ｘ×βｒｅｆとなるようなゲイン係数βｊを適用し、計算するように構成されるのが好ましい。
【００６０】
ＷＴＲＵに対して、フォワードコンポジットチャネルの選択された物理送信設定に対して選択されたチャネルの組合せにより、データを搬送するフォワードコンポジットチャネル内の通信信号を送信する方法が提供される。ただし、このＷＴＲＵは、フォワードチャネルを経由して受信したデータ信号に基づいて計算されたターゲットメトリックスの関数としてフォワードチャネルの出力電力調整を行うとともに、フォワードコンポジットチャネルの選択された物理送信設定に対して、参照となるチャネルの組合せに基づいて、ゲイン係数を適用するように構成される。参照となるチャネルの組合せは、フォワードコンポジットチャネルに対して決定される。通信信号は、フォワードコンポジットチャネルの第１の物理送信設定に対して、フォワードコンポジットチャネルを経由して選択されたチャネルの組合せで送信される。フォワードコンポジットチャネルの参照となるチャネルの組合せは、フォワードコンポジットチャネルの第１の物理送信設定に対して、選択されたチャネルの組合せによる通信信号の送信に適用するゲイン係数を決定するために使用される。フォワードチャネルの出力電力調整は、フォワードコンポジットチャネルの第１の物理送信設定に対して、フォワードチャネルを経由して受信したデータ信号に基づいて計算したターゲットメトリックスの関数として作成される。フォワードコンポジットチャネル内の通信信号の送信は、フォワードコンポジットチャネルの第２の物理送信設定に対して再構成され、選択されたチャネルの組合せで信号を送信する。さらに、参照となるチャネル組合せ内においてフォワードコンポジットチャネルの第１の物理送信設定から第２の物理送信設定への拡散係数の変化の関数として計算されたターゲットメトリックスの更新に基づいて、フォワードチャネル送信電力を調整するようになる。フォワードコンポジットチャネルの第２の物理送信設定に対する参照となるチャネルの組合せは、フォワードコンポジットチャネルの第２の物理送信設定に対する選択されたチャネルの組合せによる通信信号の送信に適用するゲイン係数を決定するために使用される。
【００６１】
ＷＴＲＵが符号分割多重アクセス（ＣＤＭＡ）システムで使用すされるように構成されている場合に、データチャネルは、コンポジットチャネルの様々な物理送信設定に対応する様々な拡散係数をとり得る送信チャネル（ＴｒＣＨ）であり、コンポジットチャネルはアップリンクコードコンポジット送信チャネル（ＣＣＴｒＣＨ）であり、送信フォーマットの組合せ（ＴＦＣ）は、すべての物理送信設定に対して定義されたＣＣＴｒＣＨのあらかじめ定義された一連のフォーマットチャネルの組合せのそれぞれに関連付けられている。さらに送信された通信信号を受信したときの信号対干渉比（ＳＩＲ）メトリックスを使用してフォワードチャネルの出力電力調整の基準となるターゲットＳＩＲを計算する場合に、フォワードコンポジットチャネルの参照となるチャネルの組合せは、あらかじめ定義された一連のフォーマットチャネル組合せの１つ、すなわちゲイン係数βｒｅｆに関連付けられたＴＦＣｒｅｆに決定されるのが好ましい。また、再構成に伴うフォワードチャネルの送信電力調整に使用する更新されたターゲットメトリックスは、更新されたターゲットＳＩＲである。更新されたターゲットＳＩＲ、ＳＩＲ＿ｔａｒｇｅｔｎｅｗは、次のように更新されるのが好ましい。
【００６２】
【数６】
2007507165.tif 000008
【００６３】
ここで、
ＳＩＲ＿ｔａｒｇｅｔｏｌｄは、フォワードコンポジットチャネルの第１の物理送信設定に対するフォワードチャネルの出力電力調整を行うために最新に使用されたターゲットメトリックスである。
【００６４】
【数７】
2007507165.tif 000009
【００６５】
ここで、ＳＦｉは第１の物理設定に対する専用物理チャネル（ＤＰＣＨ）ｉの拡散係数であり、ＴＦＣｒｅｆで使用するすべてのＤＰＣＨｉについて合計する。さらに、
【００６６】
【数８】
2007507165.tif 000010
【００６７】
ここで、ＳＦｉは第２の物理設定に対する専用物理チャネル（ＤＰＣＨ）ｉの拡散係数であり、ＴＦＣｒｅｆで使用するすべてのＤＰＣＨｉについて合計する。
【００６８】
このような代替的な方法を実装するために、送信機、受信機、および関連付けられたプロセッサを備えるＷＴＲＵが提供される。送信機は、フォワードコンポジットチャネルの選択された物理送信設定に対して、選択されたチャネルの組合せでデータを搬送するフォワードコンポジットチャネル内の通信信号を送信するように構成される。プロセッサは、フォワードコンポジットチャネルの選択された物理送信構成に対して、参照となるチャネルの組合せに基づくゲイン係数を適用するとともに、フォワードチャネルを経由して受信した通信信号に基づいて計算されたターゲットメトリックスの関数としてフォワードチャネルの出力電力調整を行うように構成されるのが好ましい。送信機は、フォワードコンポジットチャネルの第１の物理送信設定に対して選択された第１のチャネルの組合せによる送信から、フォワードコンポジットチャネルの第２の物理送信設定に対して選択された第２のチャネルの組合せによる送信へ、フォワードコンポジットチャネル内で通信信号の送信を再構成する。これとともに、プロセッサはフォワードコンポジットチャネルの第１の物理送信設定から第２の物理送信設定への参照となるチャネルの組合せにおける拡散係数の変化の関数として計算されたターゲットメトリックスの更新に基づいて、フォワードチャネルの送信電力を調整するようにさらに構成されるのが好ましい。プロセッサは、フォワードコンポジットチャネルの参照となるチャネルの組合せを使用して、フォワードコンポジットチャネルの選択されたチャネルの組合せによる通信信号の送信に適用するゲイン係数βを決定するようにさらに構成できる。
【００６９】
このようなＷＴＲＵは符号分割多重アクセス（ＣＤＭＡ）システムで使用されるように構成されており、この場合、データチャネルは、コンポジットチャネルの様々な物理設定に対応する様々な拡散係数をとり得る送信チャネル（ＴｒＣＨ）であり、コンポジットチャネルはアップリンクコードコンポジット送信チャネル（ＣＣＴｒＣＨ）であり、送信フォーマット組合せ（ＴＦＣ）は、すべての物理送信設定に対して定義されたＣＣＴｒＣＨのあらかじめ定義された一連のフォーマットチャネルの組合せのそれぞれに関連付けられている。さらに送信された通信信号を受信したときの信号対干渉比（ＳＩＲ）メトリックスを使用してフォワードチャネルの出力電力調整の基準となるターゲットＳＩＲを計算する場合に、フォワードコンポジットチャネルの参照となるチャネルの組合せＴＦＣｒｅｆは、あらかじめ定義された一連のフォーマットチャネル組合せの１つであり、ゲイン係数βｒｅｆに関連付けられるのが好ましい。プロセッサは、さらに送信を再構成するととともに、フォワードチャネルの調整に使用する更新されたターゲットメトリックスとして更新されたターゲットＳＩＲを使用するように構成されるのが好ましい。このプロセッサは、フォワードコンポジットチャネルの現在の物理送信設定に対してデータを送信するためにｊ番目のチャネルの組合せＴＦＣｊが選択された場合、選択されたチャネルの組合せに対してβｊ＝Ｘ＊βｒｅｆとなるように計算されたゲイン係数βｊが適用されるように構成できる。ここで、Ｘはフォワードコンポジットチャネルの現在の物理送信設定に対して、ＴＦＣｊおよびとＴＦＣｒｅｆの拡散係数に基づいている。
【００７０】
本発明の以上のおよびその他の目的と利点は、以下の説明と添付の図面から当業者には明らかになるであろう。
【発明を実施するための最良の形態】
【００７１】
本発明の機能と要素について、特定の組合せによる好ましい実施形態に関連して説明するが、こうした機能または要素のそれぞれは、単独でも（好ましい実施形態の他の機能および要素を伴わない）、様々な組合せにおいても（本発明の他の機能および要素を伴っても伴わなくてもよい）利用することができる。
【００７２】
本発明について、図面の符号を参照しながら説明するが、説明の中で数字が同じものは、全体にわたって同じ要素を示している。基地局、無線送信／受信ユニット（ＷＴＲＵ）、およびモバイルユニットの各用語は、その一般的な意味で使用されている。基地局という用語には、本明細書で使用する限り、基地局、Ｎｏｄｅ  Ｂ、サイトコントローラ、アクセスポイント、あるいは無線環境においてＷＴＲＵに対して基地局に関連付けられたネットワークへの無線アクセスを提供する他のインターフェースデバイスが含まれるが、これらに限定はされない。
【００７３】
本明細書で使用する限り、ＷＴＲＵという用語にはユーザ用装置（ＵＥ）、モバイルステーション、据え付け型またはモバイルの加入者ユニット（ｓｕｂｓｃｒｉｂｅｒ  ｕｎｉｔ）、ポケベル、あるいは無線環境で動作できる他の任意のタイプのデバイスが含まれるが、これらに限定はされない。ＷＴＲＵには、電話、テレビ電話、ネットワーク接続を備えるインターネット対応の電話などのパーソナル通信デバイスが含まれる。さらに、ＷＴＲＵには、ＰＤＡや同様のネットワーク機能を備える無線モデム付きのノートブックコンピュータのような携帯用のパーソナルコンピューティング装置も含まれる。携帯用または場所を変えることができるＷＴＲＵは、モバイルユニットと呼ばれる。総称して、基地局はＷＴＲＵでもある。
【００７４】
好ましい実施形態について、時分割多重（ＴＤＤ：ｔｉｍｅ  ｄｉｖｉｓｉｏｎ  ｄｕｐｌｅｘ）モードを利用する第３世代パートナーシッププログラム（３ＧＰＰ）符号分割多重アクセス（ＣＤＭＡ）システムに関連付けながら説明するが、本実施形態は送信電力が動的に制御される複数の同時チャネルを利用する任意の無線通信システムに適用できる。さらに、本実施形態はＣＤＭＡシステムにも、一般に３ＧＰＰ  ＣＤＭＡシステムの周波数分割多重（ＦＤＤ）モードにも適用できる。
【００７５】
３ＧＰＰなどの無線システムでの従来の電力制御方法には、いわゆる内部ループおよび外部ループが利用されている。電力制御システムは、内部ループが開いているか閉じているかによってオープンまたはクローズドと言われる。
【００７６】
図２は、「送信」を行う通信ステーション１０と「受信」を行う通信ステーション３０を備えるオープンループ電力制御システムの該当する部分が示されている。ステーション１０、ステーション３０はいずれも送受信機である。一般に、１つは３ＧＰＰのＮｏｄｅ  Ｂと呼ばれる基地局であり、もう１つはＷＴＲＵタイプで３ＧＰＰのユーザ装置ＵＥと呼ばれる。明確にするために、選択されたコンポーネントのみが図示されており、本発明について好ましい３ＧＰＰシステムに関連して説明されているが、本発明は一般的に無線通信システムに適用されており、ＷＴＲＵがＷＴＲＵ自身の間で通信するアドホックネットワーキングを実行しているシステムにも適用される。電力制御は、複数のユーザに対して過剰な干渉を引き起こすことなく信号の品質を維持するために重要である。
【００７７】
送信ステーション１０には、送信用のユーザのデータ信号を送信するデータライン１２を備える送信機１１が含まれる。ユーザデータ信号は、プロセッサ１５の出力１３から送信電力調整を適用して送信電力レベルを調整することによって、調整された望ましい出力電力レベルによって提供される。ユーザデータは送信機１１のアンテナシステム１４から送信される。
【００７８】
送信データを含む無線信号２０は、受信アンテナシステム３１を経由して受信ステーション３０において受信される。受信アンテナシステムは、受信したデータの品質に影響を与える干渉無線信号２１も受信する。受信ステーション３０には、受信した信号が入力される干渉電力測定デバイス３２が含まれており、デバイス３２は測定された干渉電力データを出力する。受信ステーション３０には、受信した信号がまた入力されるデータ品質測定デバイス３４も含まれており、デバイス３４はデータ品質信号を生成する。データ品質測定デバイス３４は、信号品質データを受信して、入力３７を経由して受信したユーザ定義の品質標準パラメータに基づいて目的の信号対干渉比（ＳＩＲ）データを計算する処理デバイス３６と連動する。
【００７９】
受信ステーション３０には、干渉電力測定デバイス３２およびターゲットＳＩＲ生成プロセッサ３６と連動する送信機３８も含まれる。受信ステーションの送信機３８には、入力４０、４１、４２も含まれており、それぞれユーザデータ用、参照信号用、参照信号送信電力データ用である。受信ステーション３０は、関連付けられたアンテナシステム３９を経由してそのユーザデータ、制御関連データ、および参照信号を送信する。
【００８０】
送信ステーション１０には、受信機１６と関連付けられた受信アンテナシステム１７が含まれる。送信ステーションの受信機１６は、受信ステーション３０によって生成された受信ステーションのユーザデータ４４と制御信号およびデータ４５を含む受信ステーション３０から送信された無線信号を受信する。
【００８１】
送信ステーション１０の送信機のプロセッサ１５は、送信電力調整を計算するために送信ステーションの受信機１６に関連付けられる。送信機１１には、受信した参照信号電力（ｒｅｆｅｒｅｎｃｅ  ｓｉｇｎａｌ  ｐｏｗｅｒ）を測定するためのデバイス１８も含まれており、このデバイス１８はパスロス計算回路１９に関連付けられる。
【００８２】
送信電力調整を計算するために、プロセッサ１５は、受信ステーションのターゲットＳＩＲ生成プロセッサ３６で生成されたターゲットＳＩＲデータを搬送するターゲットＳＩＲデータ入力２２、受信ステーションの干渉電力測定デバイス３２で生成された干渉データを搬送する干渉電力データ入力２３、およびパスロス計算回路１９の出力であるパスロス信号を搬送するパスロスデータ入力２４からデータを受信する。パスロス信号は、受信ステーション３０から生成された参照信号送信電力データを搬送する参照信号送信電力データ入力２５並びに送信機１１の参照信号電力測定デバイス１８の出力を搬送する測定された参照信号電力入力２６を経由して受信したデータから、パスロス計算回路１９によって生成される。参照信号測定デバイス１８は、送信ステーションの受信機１６と結合され、受信ステーションの送信機３８から受信した参照信号の電力を測定する。パスロス計算回路１９は、入力２５によって伝達される既知の参照出力信号強度と入力２６によって伝達される測定された受信出力強度との差に基づいて、パスロスを決定するのが好ましい。
【００８３】
干渉電力データ、参照信号電力データおよびターゲットＳＩＲ値は、伝搬チャネルおよび干渉の時間によって変動する速度（ｔｉｍｅ−ｖａｒｙｉｎｇ  ｒａｔｅ）よりもかなり遅い速度で、送信ステーション１０に信号伝達される。「内部」ループはシステムの一部であり、測定されたインターフェースに依存する。必要な最小限の送信機出力の推定値がどのくらい適切であるかを示している伝搬チャネルおよび干渉の時間により変動する速度と、同等の速度でアルゴリズムへのフィードバックがないので、このシステムは「オープンループ」と見なされる。必要な送信電力レベルが急速に変化する場合は、このシステムはその変動に応じてタイムリーに出力電力調整を変更することはできない。
【００８４】
図２のオープンループ電力制御システムの外部ループに関して、離れた受信機ステーション３０においては、受信したデータの品質がデバイス３４を使用して評価される。デジタルデータ品質の一般的なメトリックスは、ビットエラーレートおよびブロックエラーレートである。これらのメトリックスを計算するには、時間によって変動する伝搬チャネルおよび干渉の周期よりもかなり長い期間にわたって蓄積したデータが必要である。指定された任意のメトリックスについては、メトリックスと受信したＳＩＲとの間には理論的な関係が存在する。メトリックスを評価するために十分なデータが離れた受信機に蓄積された場合は、メトリックスが計算され、プロセッサ３６内にある所望のメトリックス（所望のサービスの品質を表す）と比較され、さらに更新されたターゲットＳＩＲが出力される。更新されたターゲットＳＩＲは、送信機の内部ループに適用された値（理論上）で、測定されたメトリックスを望ましい値に収束させる。最終的に、更新されたターゲットＳＩＲは、受信ステーションの送信機３８および送信ステーションの受信機１６を経由して送信機１１に渡され、その内部ループにおいて使用される。ターゲットＳＩＲの更新された値は、品質統計を蓄積するのに必要な時間および出力を制御される送信機への信号伝送速度に関する実際的な制限に従う。
【００８５】
許容されている様々なデータチャネル（３ＧＰＰ  ＣＣＴｒＣＨなど）の組合せからデータを搬送するコンポジットデータチャネルの文脈において、送信ＷＴＲＵ１０のプロセッサ１５はコンポジットチャネルを経由してデータが転送されるデータチャネルの特定の組合せに対応するゲイン係数（ｇａｉｎ  ｆａｃｔｏｒ）βを適用することによって、送信電力を計算するように構成されるのが好ましい。本発明の教示により、各データチャネルの組合せに対するゲイン係数は、参照データチャネルの組合せのゲイン係数βｒｅｆに比例するように計算される。すなわち、データチャネルのｊ番目の組合せについて対応するゲイン係数はβｊ＝Ｘ＊βｒｅｆである。ここで、Ｘは他の変数に基づいて計算できる別の値である。
【００８６】
ゲイン係数の値は、送信ＷＴＲＵ１０において計算しても、受信ＷＴＲＵ３０において計算してもよい。後者の場合に、ゲイン係数はその後で、例えばゲイン係数を計算する処理デバイス５０に関連付けられた受信ＷＴＲＵの送信機３８の入力４２を経由して、送信ＷＴＲＵ１０に送信される。
【００８７】
例えば、送信ＷＴＲＵ１０が受信ＷＴＲＵとしてＵＴＲＡＮと通信しているＵＥの３ＧＰＰアップリンクＣＣＴｒＣＨの場合に、従来の方法において、プロセッサ１５はパスロス並びにＳＩＲターゲットのＵＴＲＡＮ信号伝達値およびＵＬ  ＣＣＴｒＣＨのＵＬタイムスロット干渉信号コード電力（ＩＳＣＰ：ｉｎｔｅｒｆｅｒｅｎｃｅ  ｓｉｇｎａｌ  ｃｏｄｅ  ｐｏｗｅｒ）に基づいて、ＣＣＴｒＣＨに関連付けられた専用物理チャネル（ＰＤＰＣＨ）の送信電力を計算するように構成されるのが好ましい。また、ＣＣＴｒＣＨの各ＤＰＣＨは、様々なＤＰＣＨで使用する様々な拡散係数を補償する従来の重み係数γｉで個々に重み付けされた後、各タイムスロットについて図３に示すように複雑な加算を使用して結合されるのが好ましい。
【００８８】
物理チャネルを結合した後、プロセッサ１５はさらに本発明の教示に従って計算されたＣＣＴｒＣＨゲイン係数を適用するのが好ましい。したがって、ＣＣＴｒＣＨが参照ＴＦＣすなわちＴＦＣｒｅｆを伴うが、ｊ番目のＴＦＣすなわちＴＦＣｊを使用している場合は、参照ＴＦＣすなわちＴＦＣｒｅｆのゲイン係数βｒｅｆに比例するゲイン係数βｊ、すなわちβｊ＝Ｘ×βｒｅｆが適用される。
【００８９】
ゲイン係数は、レートマッチングパラメータ（ｒａｔｅ  ｍａｔｃｈｉｎｇ  ｐａｒａｍｅｔｅｒｓ）、並びにリソース単位が例えば１つのＳＦ１６コードとして定義された場合は指定されたＴＦＣｊおよび参照ＴＦＣに必要なリソース単位の数に基づくのも好ましい。したがって、Ｘは次のように従来のパラメータに従って選択されるのが好ましい。
【００９０】
変数
【００９１】
【数９】
2007507165.tif 000011
【００９２】
を定義する
ここで、ＲＭｉは送信チャネルｉの半静的（ｓｅｍｉ−ｓｔａｔｉｃ）レートマッチング属性、Ｎｉは送信チャネルｉの無線フレームセグメンテーションブロック（ｒａｄｉｏ  ｆｒａｍｅ  ｓｅｇｍｅｎｔａｔｉｏｎ  ｂｌｏｃｋ）から出力されたビットの数であり、参照ＴＦＣ内のすべての送信チャネルｉについて合計を求める。
【００９３】
同様に、変数
【００９４】
【数１０】
2007507165.tif 000012
【００９５】
を定義する
ここで、ｊ番目のＴＦＣ内のすべての送信チャネルｉについて合計を求める。
【００９６】
さらに、変数
【００９７】
【数１１】
2007507165.tif 000013
【００９８】
を定義する
ここで、ＳＦｉはＤＰＣＨｉの拡散係数であり、参照ＴＦＣ内で使用するすべてのＤＰＣＨｉについて合計を求める。
【００９９】
同様に、変数
【０１００】
【数１２】
2007507165.tif 000014
【０１０１】
を定義する
ここで、ｊ番目のＴＦＣ内で使用するすべてのＤＰＣＨｉについて合計を求める。
【０１０２】
ｊ番目のＴＦＣの係数Ｘは、次のように計算されるのが好ましい。
【０１０３】
【数１３】
2007507165.tif 000015
【０１０４】
さらに、ｊ番目のＴＦＣを使用する場合は、ＣＣＴｒＣＨのプロセッサ１５で適用するゲイン係数βｊは、次のように計算されるのが好ましい。
【０１０５】
【数１４】
2007507165.tif 000016
【０１０６】
ゲイン係数βｊの同じ計算は、受信ＷＴＲＵ３０内の「信号伝達されたゲイン係数」と送信ＷＴＲＵ１０内の「計算されたゲイン係数」の両方について決定する場合に使用するのが好ましい。しかし、３ＧＰＰ  ＣＤＭＡシステムにおけるダウンリンク送信では、例えば、固定された値のセットのみを送信ＷＴＲＵ１０に信号伝達することができる。したがって、そのような制限が発生する場合はＵＥ「信号伝達されたゲイン係数」について、量子化されたゲイン係数、すなわち量子化されたβｊは処理デバイス５０によって決定され、送信ＷＴＲＵ１０へ送信されるのが好ましい。３ＧＰＰ  ＣＣＴｒＣＨでは、現在許可されている量子化されたβ値がＴＳ  ２５．３３１に規定されている。これを表１に示す。
【０１０７】
【表１】
2007507165.tif 000017
【０１０８】
１／８から２まで１／８刻みに１６の量子化された値を使用できることに留意されたい。
【０１０９】
本発明の教示により、まず前述のβｒｅｆに比例する値としてβｊを決定することによって、量子化されたβｊが決定されるのが好ましい。したがって、ｊ番目のＴＦＣを使用する３ＧＰＰ  ＣＣＴｒＣＨでは次のようになるのが好ましい。
【０１１０】
【数１５】
2007507165.tif 000018
【０１１１】
量子化されたβｊ（βｊ  ｑｕａｎｔｉｚｅｄ）は、さらに次のように決定されるのが好ましい。
【０１１２】
【数１６】
2007507165.tif 000019
【０１１３】
ただし、
【０１１４】
【数１７】
2007507165.tif 000020
【０１１５】
はｘより大きいかｘと等しい最小の整数を表す。これは、実際の計算値を上回るβの値を提供する保守的なアプローチである。
【０１１６】
これに代わる量子化されたβｊ（βｊ  ｑｕａｎｔｉｚｅｄ）の好ましい決定方法の例には、次のような式がある。
【０１１７】
【数１８】
2007507165.tif 000021
【０１１８】
または
【０１１９】
【数１９】
2007507165.tif 000022
【０１２０】
または
【０１２１】
【数２０】
2007507165.tif 000023
【０１２２】
または
【０１２３】
【数２１】
2007507165.tif 000024
【０１２４】
ここで、
【０１２５】
【数２２】
2007507165.tif 000025
【０１２６】
はｘより小さいかｘと等しい最大の整数を表す。前述のすべての式において、１／８より小さいゲイン係数値を１／８に切り上げ、２より大きい値を２に切り下げるのが好ましい。パフォーマンスを向上するには、すべてのゲイン係数値は１／８より大きく２より小さいように、参照ＴＦＣすなわちＴＦＣｒｅｆを選択するのが好ましい。
【０１２７】
本発明の別の態様として、再構成時に電力制御を維持する上で発生する問題について以下に説明する。前述のように、発明者はＴＦＣの新しいパンクチャリング／繰り返し（ｐｕｎｃｔｕｒｉｎｇ／ｒｅｐｅｔｉｔｉｏｎ）に基づいて再収束するための電力制御の必要性を認識している。パンクチャリング／繰り返しに関連する再構成の後で、同じ出力パワーレベルをもたらすのではない新しいゲイン係数が計算または選択された場合は、再収束が必要となる。
【０１２８】
例えば、ＣＣＴｒＣＨの総ビットレートがこのＣＣＴｒＣＨに割り当てられた物理チャネルの総チャネルビットレートと異なる場合は、従来どおりＤＴＸ（Ｄｉｓｃｏｎｔｉｎｕｏｕｓ  Ｔｒａｎｓｍｉｓｓｉｏｎ）が、専用物理チャネルおよび共有物理チャネル（ＰＵＳＣＨ、ＰＤＳＣＨ、ＵＬ  ＤＰＣＨ、およびＤＬ  ＤＰＣＨ）にマップされた３ＧＰＰ  ＣＣＴｒＣＨに適用される。レートマッチング（Ｒａｔｅ  ｍａｔｃｈｉｎｇ）は、一部のみにデータが格納されている物理チャネル全体を、完全に満たすために使用される。レートマッチングと多重化の後で、物理チャネルに送信されるデータがまったく存在しない場合は、その物理チャネルが送信から破棄される。物理チャネルの一部のみが破棄された場合は、ＣＣＴｒＣＨは部分的にＤＴＸ状態にある。送信するデータが存在しない場合は、ＣＣＴｒＣＨがＤＴＸ状態にある。ＤＴＸ状態では、特殊なバーストの利用が適用される。
【０１２９】
部分的なＤＴＸにより、パンクチャリング／繰り返しは、割り当てられたリソース単位の総数、すなわち総データレートのみでなく、割り当てられた物理チャネルの拡散係数にも依存する。例えば、拡散係数（ＳＦ：ｓｐｒｅａｄｉｎｇ  ｆａｃｔｏｒ）が１である１つの物理チャネルがＣＣＴｒＣＨ（すなわち、１６のリソース単位）に割り当てられる場合、送信されるビットの数が小さくても、その物理チャネルが完全に満たされるまで繰り返される。代わりに、ＳＦが２である２つの物理チャネルがＣＣＴｒＣＨに割り当てられる（１６のリソース単位、チャネル当たり８）場合、送信されるビットすべてが１つのＳＦ２物理チャネルに収まる場合は、第２の物理チャネルは破棄される。この場合は、繰り返しのパーセンテージが１つのＳＦ１の場合よりも小さい。したがって、パンクチャリング／繰り返しの量は、使用するＴＦＣ（送信されるビット数）および物理チャネルの設定によって変わる。
【０１３０】
最初に物理チャネルはＣＣＴｒＣＨ用に設定されており、ゲイン係数はＣＣＴｒＣＨの送信フォーマットの組合せセット（ＴＦＣＳ：ｔｒａｎｓｐｏｒｔ  ｆｏｒｍａｔ  ｃｏｍｂｉｎａｔｉｏｎ  ｓｅｔ）内の各ＴＦＣに対して定義されている。物理チャネルが正常に確立されると、アップリンク外部電力制御アルゴリズムは指定されたＳＩＲターゲットに収束する。このＳＩＲターゲットは、そのチャネルに対して現在設定されているゲイン係数に基づいている（すなわち、その物理チャネル設定によって生成されたパンクチャリング／繰り返しの量に基づいている）。
【０１３１】
物理チャネルの再構成手順の間に拡散係数が変化し、それによって各ＴＦＣのパンクチャリング／繰り返しが変化する可能性がある。「計算されたゲイン係数」が使用され、参照ＴＦＣおよび参照ゲイン係数（βｒｅｆ）が同じに維持される場合に、ＷＴＲＵは古い参照ＴＦＣおよび参照ゲイン係数、並びに新しい物理チャネル設定に基づくすべてのＴＦＣのゲイン係数値を再計算する。この結果、電力制御がすでに収束しているパンクチャリング／繰り返しと比較して、同じ出力を発生しないゲイン係数が得られる。
【０１３２】
「信号伝達されたゲイン係数」が使用されている場合に、ＲＮＣにはすべてのＴＦＣに対して同じゲイン係数値を保存するかまたは新しいゲイン係数を送信するかの２つの選択肢がある。新しい設定の前と後の各ＴＦＣに対するパンクチャリング／繰り返しが同じでない場合に、ゲイン係数を同じに維持するには再収束するための電力制御が必要になる。したがって、新しいゲイン係数を送信するのが好ましい。
【０１３３】
新しいゲイン係数を決定するには、前述のように参照ゲイン係数βｒｅｆに比例するように参照ＴＦＣに基づいて値を再計算するのが便利である。参照ＴＦＣおよび参照ゲイン係数（βｒｅｆ）が同じに維持される場合に、古い参照ＴＦＣおよび参照ゲイン係数および新しい物理チャネル設定に基づくすべてのＴＦＣに対するゲイン係数値が再計算されるのが好ましい。なぜならば、変化は、前述のように拡散係数およびレートマッチングパラメータに基づくのが好ましいＸ因子において発生する可能性が高いからである。「計算されたゲイン係数」と同様に、この結果、電力制御がすでに収束しているパンクチャリング／繰り返しに関連する同じ出力を発生しないゲイン係数が得られる。したがって、参照ＴＦＣおよび参照ゲイン係数値の選択は、「計算されたゲイン係数」および「信号伝達されたゲイン係数」の両方において、非常に重要である。
【０１３４】
次の例は、再構成によってゲイン係数値（すなわち出力）とパンクチャリング／繰り返しのレベルとの関係を変更する方法を示している。例で示されたゲイン係数値は量子化されていないが、例は「計算されたゲイン係数」または「信号伝達されたゲイン係数」の両方に適用される。３ＧＰＰ  ＣＣＴｒＣＨのアップリンク電力制御においては、信号伝達されたゲイン係数はＷＴＲＵに信号伝達される前にＵＴＲＡＮによって量子化されるのが好ましい。
【０１３５】
簡単のために、この第１の例では、βｒｅｆが１に等しいと仮定されており、レートマッチング（ＲＭ：Ｒａｔｅ  Ｍａｔｃｈｉｎｇ）属性はＣＣＴｒＣＨのすべての送信チャネルに対して同じ値になるように選択されると仮定される。しかし、βｒｅｆが１でない場合や送信チャネルのＲＭ属性が等しくない場合も、同じ問題と解決策が適用される。
【０１３６】
説明のため、この例では、１２８Ｋｂｐｓの無線アクセスベアラ（ＲＡＢ：Ｒａｄｉｏ  Ａｃｃｅｓｓ  Ｂｅａｒｅｒ）のアップリンク設定を選択する。ただし、ＲＡＢは１２８Ｋｂｐｓ専用トラフィックチャネル（ＤＴＣＨ）および３．４  Ｋｂｐｓの信号伝達無線ベアラ（ＳＲＢ：Ｓｉｇｎａｌｉｎｇ  Ｒａｄｉｏ  Ｂｅａｒｅｒ）で構成される。このＲＡＢの設定は、表２および表３に示されており、このＣＣＴｒＣＨのＴＦＣＳは表４で定義される。
【０１３７】
【表２】
2007507165.tif 000026
【０１３８】
【表３】
2007507165.tif 000027
【０１３９】
【表４】
2007507165.tif 000028
【０１４０】
ＣＣＴｒＣＨの第１の例では、表５に示す２つの可能な物理チャネル設定について考察する。
【０１４１】
【表５】
2007507165.tif 000029
【０１４２】
物理チャネル設定１を使用するか２を使用するかは、チャネルが設定されたときのセルの可用性によって決まる。例えば、１つのＳＦ２コードが使用できない場合は、代わりに２つのＳＦ４コードを使用してもよい。
【０１４３】
この第１の例では、チャネルが初めて設定されたときは物理チャネル設定１が使用される。したがって、ゲイン係数は前述の好ましい式を使用して物理チャネル設定１に基づいて決定される。この例では、選択された参照ＴＦＣはＴＦＣ３なのでＴＦＣ３が選択されており、したがって、図４の表には各ＴＦＣに対するゲイン係数が示されている。
【０１４４】
その後再構成が必要な場合は、新しいゲイン係数が計算される。例えば、物理設定２に再構成が行われ、参照ＴＦＣとゲイン係数が同じに維持される（すなわち、ＴＦＣｒｅｆがＴＦＣ３かつβｒｅｆ＝１）場合は、再計算されたゲイン係数が図５の表に示されている。
【０１４５】
ＴＦＣ３が参照として使用されている場合は、両方の設定についてパンクチャリング／繰り返しの関数としてのゲイン係数が図６のグラフに示されている。示されているゲイン係数の値は、量子化されていない。参照ゲイン係数の量子化は、「計算されたゲイン係数」の場合は必要ない。その場合、送信ＷＴＲＵ１０によって決定されたゲイン係数の値は、図４および図５に示されている。量子化は、アップリンク３ＧＰＰ  ＣＣＴｒＣＨ用の「信号伝達されたゲイン係数」の場合に必要であり、この場合は送信された値はこの第１の例の図４および図５で示した値を量子化したものである。
【０１４６】
この第１の例では、設定１ではＴＦＣ３が３０％の繰り返しをもたらし、設定２ではＴＦＣ３が３５％のパンクチャリングをもたらす。しかし、ゲイン係数の値はいずれの場合も同じである（すなわち１に等しい）。アップリンク外部ループ電力制御が物理チャネル設定１に与えられたベータの値について収束しており、ＳＩＲターゲット値が再構成中に更新されていない場合は、新しい収束が必要になる。この第１の例では、設定２の出力電力は非常に低くなる可能性が高く、ＳＩＲターゲットを増大させる必要がある。
【０１４７】
次のように、２つの解決策が提供される。
【０１４８】
１．参照ＴＦＣのインテリジェントな選択：ＳＩＲターゲットを維持（外部ループ電力制御アルゴリズムによって決定された最新の値を再構成メッセージにおいてＷＴＲＵ１０に送信）し、
ａ．ＣＣＴｒＣＨの新しい設定において、同様のパンクチャリング／繰り返しに対して同様の出力レベルを提供するような元の選択肢が選択された場合は、既存の参照ＴＦＣおよびβｒｅｆを維持する。または
ｂ．新しい参照ＴＦＣまたは新しいβｒｅｆを選択する。
【０１４９】
２．ゲイン係数値の変化に基づいてＳＩＲターゲット値を更新し、そのＳＩＲターゲット値を再構成メッセージにおいてＷＴＲＵ１０に送信する。この場合、βｒｅｆは同じに維持されるが、ＴＦＣＳ内の他のすべてのＴＦＣのゲイン係数は変化してもよい。
【０１５０】
参照ＴＦＣのインテリジェントな選択では、ＳＩＲターゲットを維持し、参照ＴＦＣおよびβｒｅｆをインテリジェントに選択する。物理チャネルが再構成される場合は、次の３つのケースが考えられる
ケース１：ＣＣＴｒＣＨの可能なすべての物理設定が既知であり、含まれるすべての物理チャネルの設定に対して同様のパンクチャリング／繰り返しをもたらす共通のＴＦＣが存在する場合の参照ＴＦＣの選択。  
ケース２：取り得るすべての設定が既知でない場合、または含まれるすべての物理チャネルの設定に対して同様のパンクチャリング／繰り返しをもたらす共通のＴＦＣを検出できない場合の参照ＴＦＣの選択。および
ケース３：古い設定の参照ＴＦＣと同様のパンクチャリング／繰り返しをもたらすＴＦＣを、新しい設定内で検出できない場合の参照ＴＦＣの選択。
【０１５１】
第１のケースでは、参照ＴＦＣと参照ゲイン係数値を維持するのが好ましい。この場合は、このＣＣＴｒＣＨで許可されるすべての設定に対して同様の量のパンクチャリング／繰り返しをもたらす参照ＴＦＣが選択される。ＣＣＴｒＣＨのすべての物理チャネル設定で同じ参照ＴＦＣと参照ゲイン係数が使用される。参照ＴＦＣと参照ゲイン係数はチャネルが最初に設定されるときに選択され、以降のすべての再構成でも同じに維持される。
【０１５２】
第２のケースでは、参照ＴＦＣを変更し、参照ゲイン係数値を維持するのが好ましい。この場合、古い設定における参照ＴＦＣと同様のパンクチャリング／繰り返しをもたらす新しい参照ＴＦＣが選択される。また、新しい参照ＴＦＣのゲイン係数βｒｅｆは再構成の間に同じに維持される。
【０１５３】
第３のケースでは、参照ＴＦＣを維持し、参照ゲイン係数値を変更するのが好ましい。この場合、同じ参照ＴＦＣが使用されるが、参照ゲイン係数βｒｅｆは変更される。新しい参照ゲイン係数は、古い設定で使用されたものと同じ参照ＴＦＣを参照として使用して決定される。
【０１５４】
上記すべてのケースについて、参照ＴＦＣおよび／または参照ゲイン係数値βｒｅｆが同じに維持される場合でも、ＴＦＣＳ内の他のすべてのＴＦＣに対するゲイン係数値は、拡散係数の変化（すなわちＬｊの値の変化）がある限り、再計算されるのが好ましい。
【０１５５】
好ましくはないが、ケース２で定義した選択プロセスをケース１のシナリオで使用してもよい。またケース３で定義したプロセスをケース１またはケース２のシナリオで使用してもよい。
【０１５６】
インテリジェントな選択を使用するＴＦＣＳ再構成の場合に、第１の好ましい選択肢（ａｌｔｅｒａｔｉｖｅ）は、参照ＴＦＣを変更し、参照ゲイン係数値を維持することである。これは、古い設定の参照ＴＦＣと同様のパンクチャリング／繰り返しをもたらす新しい参照ＴＦＣを選択することによって行うのが好ましい。その場合、新しい参照ＴＦＣのゲイン係数は再構成の間は同じに維持されるのが好ましい。第２の好ましい選択肢は、参照ゲイン係数値を変更することである。新しい参照ＴＦＣは、ＴＦＣＳ内のどのＴＦＣでもよい（古いものと同じでも異なるものでもよい）のが好ましい。新しい参照ＴＦＣのゲイン係数は、古い設定で使用されたβｒｅｆを参照として使用して決定するのが好ましい。
【０１５７】
ＴＦＣＳ設定の場合、参照ＴＦＣおよび／または参照ゲイン係数値が同じに維持される場合でも、ＴＦＣＳ内における他のすべてのＴＦＣのゲイン係数値は、指定された送信チャネルのビット数の変化（すなわちＫｊの値の変化）がある限り、再計算するのが好ましい。しかし、物理チャネルおよび／またはＴＦＣＳ再構成の結果、再構成の前と後で同様のパンクチャリング／繰り返しをもたらす場合に、許容される代替策は参照ＴＦＣも参照ゲイン係数も更新しないことである。
【０１５８】
前述のケース１で、取り得るすべての物理チャネル設定が既知の場合に、そのＣＣＴｒＣＨで許容されるすべての設定において同様の量のパンクチャリング／繰り返しをもたらすＴＦＣがすべての設定に対する参照ＴＦＣとして選択されるのが好ましい。参照ＴＦＣ（βｒｅｆ）に対するゲイン係数もすべての設定に対して同じであるのが好ましい。
【０１５９】
「計算されたゲイン係数」の場合に、受信ＷＴＲＵ３０はＣＣＴｒＣＨが最初に設定されたときに参照ＴＦＣと参照ゲイン係数（βｒｅｆ）を送信ＷＴＲＵ１０に送信するのが好ましい。その場合、送信ＷＴＲＵ１０は、前述の方法を使用して他のすべてのＴＦＣに対するゲイン係数を計算するのが好ましい。物理チャネルの再構成に続き、送信ＷＴＲＵ  １０は、事前に識別された参照ＴＦＣおよび参照ゲイン係数を使用して、ＴＦＣＳ内のすべてのＴＦＣに対する新しいゲイン係数を計算する。
【０１６０】
「信号伝達されたゲイン係数」の場合に、受信ＷＴＲＵ３０はＣＣＴｒＣＨが最初に設定されたときに選択された参照ＴＦＣを使用してＴＦＣＳ内のすべてのＴＦＣのゲイン係数を決定し、これらの値を送信ＷＴＲＵ１０に送信するのが好ましい。３ＧＰＰ  ＣＣＴｒＣＨでは、これらの値は量子化されるのが好ましい。受信ＷＴＲＵ３０は、前述の方法を使用し、参照ＴＦＣに基づいて他のすべてのＴＦＣのゲイン係数を決定するのが好ましい。物理チャネルの再構成が行われた場合は、受信ＷＴＲＵ  ３０は事前に識別された参照ＴＦＣと参照ゲイン係数を使用し、ＴＦＣＳ内のすべてのＴＦＣの更新されたＸ値を使用して新しいゲイン係数を計算し、新しいゲイン係数を送信ＷＴＲＵ１０に送信する。
【０１６１】
３ＧＰＰ  ＣＣＴｒＣＨの場合に、参照ゲイン係数（βｒｅｆ）は１／８から２までの任意の値（１／８刻み）が望ましい。参照ＴＦＣおよびゲイン係数（βｒｅｆ）は、他のＴＦＣのすべてのゲイン係数値が１／８より大きく、２より小さくなるように選択するのが好ましい。また、物理チャネル再構成によって拡散係数が変化しない場合は、ゲイン係数を変更する必要はない。
【０１６２】
前述の第１の例で、参照ＴＦＣであるＴＦＣ３は、物理設定１で３０％の繰り返しをもたらし、物理設定２で３５％のパンクチャリングをもたらす。しかし、ＴＦＣ４は物理設定１で３％のパンクチャリングをもたらし、物理設定２で１％の繰り返しをもたらす。ＴＦＣ４の値はＴＦＣ３より互いにはるかに近いので、ケース１のシナリオではＴＦＣ４を参照ＴＦＣとして選択するのが好ましい。
【０１６３】
ケース１のシナリオでは、第１の例を修正したものが第２の例として図７、図９および図１０とともに提供されている。第２の例の参照としてＴＦＣ４を使用したときのゲイン係数は、設定１と設定２の両方によるパンクチャリング／繰り返しの関数として図７のグラフに示されている。図７のグラフを図６に示されているグラフと比較すると、２つの曲線がはるかに接近していることがわかる。
【０１６４】
また、ケース１のシナリオでは、ＴＦＣ１０を参照として選択した場合に、第１の例を修正したものが第３の例として図８、図９および図１０とともに提供されている。ＴＦＣ１０は、物理設定１において４６％のパンクチャリングをもたらし、物理設定２において４５％のパンクチャリングをもたらす。第３の例の参照としてＴＦＣ１０を使用した場合は、両方の設定によるパンクチャリング／繰り返しの関数としてのゲイン係数が図８に示されている。この図は、この場合も同様に適切な結果が得られることを示している。
【０１６５】
参照としてＴＦＣ４またはＴＦＣ１０のいずれを使用した場合でも、物理設定２によるパンクチャリング／繰り返しの関数としてのゲイン係数を示す曲線は物理設定１によるものと重なる。指定されたパンクチャリング／繰り返しに対するゲイン係数値は両方の設定でほぼ同じである。図示されているゲイン係数の値は、量子化されていない。
【０１６６】
図９および図１０の表は、それぞれ第２と第３の例の両方に対して、２つの物理設定に関する詳細な結果を示している。
【０１６７】
第１の例については、第２と第３の例を簡単にするために、βｒｅｆは１に等しくなるように選択し、レートマッチング（ＲＭ）属性はＣＣＴｒＣＨのすべての送信チャネルで同じ値を選択することが想定されている。βｒｅｆが１でない場合や送信チャネルのＲＭ属性が等しくない場合にも、同じ問題と解決策が適用される。
【０１６８】
前述のケース１の解決策は、ＣＣＴｒＣＨに割り当てられているすべての可能な物理設定が既知の場合にのみ好ましい。この解決策は、関連する物理設定が２つのみの場合は単純である。３つ以上の関連する設定が存在する場合は、関連するすべての物理チャネル設定に対してパンクチャリング／繰り返しで同様の結果をもたらす共通のＴＦＣを見つけるのは困難となることがある。
【０１６９】
ケース２において、設定が事前に知られていない場合、または関連するすべての物理チャネル設定に対して同様のパンクチャリング／繰り返しをもたらす共通のＴＦＣを検出することが不可能な場合は、再構成の間に新しい参照ＴＦＣを選択するのが好ましい。新しい参照ＴＦＣは、古い設定における参照ＴＦＣと同様のパンクチャリング／繰り返しをもたらすものを選択するのが好ましい。新しい参照ＴＦＣ（βｒｅｆ）のゲイン係数は、再構成の間は変更しないのが好ましい。
【０１７０】
「計算されたゲイン係数」の場合は、受信ＷＴＲＵ３０は新しい参照ＴＦＣと（変更されていない）参照ゲイン係数（βｒｅｆ）を、再構成メッセージにおいて送信ＷＴＲＵ１０に送信するのが好ましい。参照ゲイン係数を変更しない場合でも、再構成メッセージにおいて送信するのが好ましい。３ＧＰＰでは、参照ＴＦＣを送信する場合にゲイン係数値を送信する必要がある。ここで、送信ＷＴＲＵ１０は他のすべてのＴＦＣのゲイン係数を計算する。
【０１７１】
「信号伝達されたゲイン係数」の場合に、受信ＷＴＲＵ  ３０は新しく選択された参照ＴＦＣと（変更されていない）参照ゲイン係数（βｒｅｆ）を使用してＴＦＣＳ内のすべてのＴＦＣのゲイン係数を決定し、これらの値を３ＧＰＰのコンテクスト内で量子化して送信ＷＴＲＵ１０に送信するのが好ましい。いずれの場合でも、ゲイン係数は前述の好ましい式を使用して計算するのが好ましい。
【０１７２】
ケース２のシナリオにおいて、ＴＦＣ３が初期設定（設定１）の参照として選択されている場合は、約３０％の繰り返しをもたらす設定２の参照ＴＦＣをＴＦＣとして選択するのが好ましい。ケース２の第１の例の修正に基づく第４の例を、図４、図１１、および図１２とともに説明する。ＴＦＣ３に最も近い値はＴＦＣ６であり、５６％の繰り返しをもたらす。このＴＦＣのゲイン係数は、物理設定１におけるＴＦＣ３のゲイン係数と同じである（指定された例においてゲイン係数は１に等しい）。
【０１７３】
図１１は、第４の例として、ＴＦＣ３が物理チャネル設定１で参照として使用された場合、およびＴＦＣ６が物理チャネル設定２で参照として使用された場合の両方の設定によるパンクチャリング／繰り返しの関数としてゲイン係数を示している。図示されたゲイン係数の値は、量子化されていない。設定１と２の繰り返しの間には相対的に大きな差があるため（２６％の差）、２つの曲線は図７および図８に描かれているケース１の例ほどに接近してはいないが、第１の例を反映する図６のグラフに示された結果よりはかなり良い。
【０１７４】
図１２の表は、第４の例の参照ＴＦＣがＴＦＣ６の場合に、物理設定２に対する詳細な結果を示している。第４の例は第１の例の続きであり、第１の例では、簡単にするために、βｒｅｆは１に等しくなるように選択され、Ｒａｔｅ  Ｍａｔｃｈｉｎｇ属性はＣＣＴｒＣＨのすべての送信チャネルで同じ値になるように選択されることが仮定されている。βｒｅｆが１ではなく、送信チャネルのＲＭ属性が等しくない場合にも、ケース２と同じ問題と解決策が適用される。
【０１７５】
ケース３において、古い設定の参照ＴＦＣと同様のパンクチャリング／繰り返しをもたらすＴＦＣを新しい設定で検出できない場合は、再構成の間に新しい参照ＴＦＣを選択するのが好ましい。新しい参照ＴＦＣは、現在の参照ＴＦＣも含めてＴＦＣＳ内のどのＴＦＣでもよい。新しい参照ＴＦＣのゲイン係数（βｒｅｆ，ｎｅｗ）は、次のように古い設定において使用されていたものと同じ参照を参照として使用し、決定するのが好ましい。
【０１７６】
【数２３】
2007507165.tif 000030
【０１７７】
すなわち、古い設定（古い拡散係数）と古いβｒｅｆを参照として使用して新しいβｒｅｆを決定する。
【０１７８】
新しい参照ＴＦＣが古い参照ＴＦＣと同じになるように選択された場合は、Ｋｒｅｆ，ｎｅｗ＝Ｋｒｅｆ，ｏｌｄであり、したがって、好ましい計算は次のようになる。
【０１７９】
【数２４】
2007507165.tif 000031
【０１８０】
この新しい参照ゲイン係数は、新しい設定における他のすべてのＴＦＣのゲイン係数を決定するための参照として使用される。したがって、好ましくは前述の好ましい式を使用してｊ番目のＴＦＣのゲイン係数βｊを計算するためのβｒｅｆとして、βｒｅｆ，ｎｅｗを使用する。
【０１８１】
ケース３のシナリオでは、第１の例にさらに修正を加えたものが図４、図１３、および図１４とともに第５の例として提供されている。第５の例では、ＴＦＣ３、すなわち第１の例の古い参照ＴＦＣと同じものが新しい参照ＴＦＣとして選択されている。次のように、物理設定１は古い設定として、物理設定２は新しい設定として、さらにＴＦＣ３は古い参照ＴＦＣおよび新しい参照ＴＦＣとして使用される。
【０１８２】
Ｌｒｅｆ，ｏｌｄ＝１／２（物理設定＝ＳＦ２×１コード×１タイムスロット）
Ｌｒｅｆ，ｎｅｗ＝１／４（物理設定＝ＳＦ４×１コード×１タイムスロット）
βｒｅｆ，ｏｌｄ＝１
したがって、
【０１８３】
【数２５】
2007507165.tif 000032
【０１８４】
図１３は、ＴＦＣ３が物理設定１および物理設定２において参照として使用され、新しい参照ゲイン係数がこの第５の例に対して決定された場合について、このケースにおける両方の設定によるパンクチャリング／繰り返しの関数としてゲイン係数を示している。図１３のグラフを図６に示されているものと比較すると、２つの曲線がより接近していることがわかる。これは指定されたパンクチャリング／繰り返しによるゲイン係数値が、両方のケースでほぼ同じであることを示している。図１３では、物理設定２の曲線は物理設定１の曲線と実際に重なっている（すなわち、指定されたパンクチャリング／繰り返しによるゲイン係数値は両方の設定でほぼ同じである）。
【０１８５】
図１４の表では、新しい参照ＴＦＣがＴＦＣ３のままであり、新しい参照ゲイン係数が第５の例における古い参照ゲイン係数から決定された場合の物理設定２に対する詳細な結果を示している。
【０１８６】
ゲイン係数値は量子化されていない。３ＧＰＰ  ＣＣＴｒＣＨでは、参照ゲイン係数が１に等しくないかまたは１／８の倍数でないので、送信ＷＴＲＵ１０に値を送信するには量子化が必要である。したがって、「計算されたゲイン係数」のケースで送信ＷＴＲＵ１０によって決定された他のすべてのＴＦＣのゲイン係数値はこの第５の例に示されている値とはわずかに異なる。「信号伝達されたゲイン係数」のケースでは、送信されたすべてのゲイン係数値は、３ＧＰＰ  ＣＣＴｒＣＨのこの第５の例で示された量子化されたバージョンの値であるのが好ましい。
【０１８７】
「計算されたゲイン係数」のケースでは、量子化誤差を最小にするために、受信ＷＴＲＵ  ３０は量子化された値が量子化したゲイン係数値に最も近くなるような新しい参照ゲイン係数をもたらす参照ＴＦＣを新しい参照ＴＦＣとして選択するのが好ましい。
【０１８８】
前述の３つのケースでは、ＴＦＣＳ再構成中にＴＦＣＳ内で変更されるパラメータはゲイン係数のみと仮定されている。送信フォーマットを再構成する必要があるので、データ転送速度に影響を与えるケースも存在する。このようなケースでは、新しい参照ＴＦＣをインテリジェントに選択することも望ましい。選択は、前述のケースに関連して示された解決策を使用して行われるのが好ましい。
【０１８９】
換言すると、ＴＦＣＳ再構成の間には好ましい選択が２つある。１つの好ましい選択肢は、古い設定における参照ＴＦＣと同様のパンクチャリング／繰り返しをもつ新しい参照ＴＦＣを選択することである。新しい参照ＴＦＣのゲイン係数（βｒｅｆ）は再構成の間は同じに維持する必要がある。これは第２、第３、および第４の例で説明したケース１または２と同様である。
【０１９０】
もう１つの好ましい選択肢は、古い参照ＴＦＣを含むＴＦＣＳ内の任意のＴＦＣを新しい参照ＴＦＣとして選択することである。新しい参照ＴＦＣのゲイン係数（βｒｅｆ，ｎｅｗ）は、次のように古い設定で使用されていたものと同じ参照を参照として使用して決定する必要がある。
【０１９１】
【数２６】
2007507165.tif 000033
【０１９２】
すなわち、古い設定（古い拡散係数）と古いβｒｅｆを参照として使用して新しいβｒｅｆを決定する。新しい参照ＴＦＣが、古い参照ＴＦＣと同じになるように選択された場合は、Ｋｒｅｆ，ｎｅｗ＝Ｋｒｅｆ，ｏｌｄであり、計算は次のように簡素化される。
【０１９３】
【数２７】
2007507165.tif 000034
【０１９４】
その場合、新しい参照ゲイン係数は、新しい設定における他のすべてのＴＦＣのゲイン係数を決定するための参照として使用される。これは第５の例で示されているケース３と同様である。
【０１９５】
インテリジェントな選択の代替策として、物理チャネルの再構成の間にゲイン係数の変更に基づいてＳＩＲターゲットを更新できる。インテリジェントな選択に関する上の議論において、ＳＩＲターゲットは再構成の間に変化しない、すなわちＵＬ外部ループ電力制御アルゴリズムからの最新の更新が再構成メッセージとして送信ＷＴＲＵ  １０に送信される。以下で説明する代替の解決策は、物理チャネル再構成の間にＳＩＲターゲットの更新を伴う。
【０１９６】
このケースでは、参照ＴＦＣおよび参照ゲイン係数は物理チャネル再構成の間は同じに維持される。ＳＩＲターゲットは、電力制御を維持するために参照ゲイン係数値の中で予期された変更に基づいて再計算される。
【０１９７】
ＳＩＲターゲットは、次のようにして更新されるのが好ましい。調整係数（ａｄｊｕｓｔｍｅｎｔ  ｆａｃｔｏｒ）βａｄｊは、参照ＴＦＣのゲイン係数βｒｅｆと電力制御を維持するために選択された新しい物理チャネル設定に基づいて次のように決定されるのが好ましい。
【０１９８】
【数２８】
2007507165.tif 000035
【０１９９】
ここで、
【０２００】
【数２９】
2007507165.tif 000036
【０２０１】
ここで、ＳＦｉは第１の物理設定に関する専用物理チャネル（ＤＰＣＨ）ｉの拡散係数であり、ＴＦＣｒｅｆで使用するすべてのＤＰＣＨｉについて合計を求める。さらに、
【０２０２】
【数３０】
2007507165.tif 000037
【０２０３】
ここで、ＳＦｉは第２の物理設定に関する専用物理チャネル（ＤＰＣＨ）ｉの拡散係数であり、ＴＦＣｒｅｆで使用するすべてのＤＰＣＨｉについて合計を求める。
【０２０４】
その場合、新しいＳＩＲターゲットは、次のようにして得られる。
【０２０５】
【数３１】
2007507165.tif 000038
【０２０６】
古い設定の参照ＴＦＣのゲイン係数が１に設定された場合に、新しいＳＩＲターゲットは次のように簡素化された式で与えられる。
【０２０７】
Ｓ１Ｒ＿ｔａｒｇｅｔｎｅｗ＝Ｓ１Ｒ＿ｔａｒｇｅｔｏｌｄ＋２０ｌｏｇ（βａｄｊ）
その場合、更新されたＳＩＲターゲットは、再構成メッセージにおいて送信ＷＴＲＵ１０に送信される。参照ＴＦＣおよび参照ゲイン係数（βｒｅｆ）は同じに維持される、すなわち調整係数βａｄｊは更新されたＳＩＲターゲットを決定するためにのみ使用されるが、その後でゲイン係数として使用されることはない。
【０２０８】
「計算されたゲイン係数」の場合に、再構成メッセージの参照ＴＦＣおよびβｒｅｆは同じに維持されるので、再送信する必要はない。送信ＷＴＲＵ１０は、古い参照ＴＦＣと古い参照ゲイン係数に基づいて、他のすべてのＴＦＣのゲイン係数値を計算する。送信ＷＴＲＵ１０は、古い参照ゲイン係数を使用して説明した前述の好ましい式を使用するのが好ましい。
【０２０９】
「信号伝達されたゲイン係数」の場合は、物理チャネル再構成の間に、受信ＷＴＲＵ  ３０は参照ＴＦＣとβｒｅｆを使用してＴＦＣＳ内のすべてのＴＦＣに対するゲイン係数を決定し、これらの値を好ましくは３ＧＰＰ  ＣＣＴｒＣＨのコンテクスト用に量子化して送信ＷＴＲＵ１０に送信する。その他すべてのＴＦＣのゲイン係数値は、物理チャネル設定の変化に従って変更できる。受信ＷＴＲＵ３０は、古い参照ゲイン係数を使用して説明した前述の好ましい式を使用するのが好ましい。
【０２１０】
「計算されたゲイン係数」の場合、前述のインテリジェントな選択方法と比較すると、ＳＩＲターゲットの更新には、信号伝達のオーバヘッドを最小化するという利点がある。ゲイン係数は送信チャネル設定の一部なので、これらのパラメータにおける変更を送信ＷＴＲＵ１０に通知するためには、このような変更が物理チャネル設定のみの変更に起因するものであっても、「送信チャネルの再構成（Ｔｒａｎｓｐｏｒｔ  Ｃｈａｎｎｅｌ  Ｒｅｃｏｎｆｉｇｕｒａｔｉｏｎ）」メッセージを使用する必要がある。送信チャネル設定に変更はない場合、代わりに「物理チャネルの再構成（Ｐｈｙｓｉｃａｌ  Ｃｈａｎｎｅｌ  Ｒｅｃｏｎｆｉｇｕｒａｔｉｏｎ）」メッセージが使用できる。このメッセージは、「送信チャネルの再構成（Ｔｒａｎｓｐｏｒｔ  Ｃｈａｎｎｅｌ  Ｒｅｃｏｎｆｉｇｕｒａｔｉｏｎ）」メッセージよりも短いので好ましい。「計算されたゲイン係数」の場合は、ＳＩＲターゲットの更新が使用されていれば、参照ＴＦＣまたは参照ゲイン係数は変更する必要がない。すなわち送信チャネルの設定は変更されない。この場合、「物理チャネルの再構成」メッセージは再構成の送信ＷＴＲＵ１０への通知に使用でき、信号伝達のオーバヘッドを最小化できる。
【０２１１】
送信ＷＴＲＵ１０か受信ＷＴＲＵ３０のいずれかのゲイン係数および量子化されたゲイン係数を決定するコンポーネントは、特定用途向け集積回路（ＡＳＩＣ）などの一つの集積回路に実装されるのが好ましい。しかし、このコンポーネントは、複数の別々の集積回路や汎用ＣＰＵ／ＤＳＰ上のソフトウェアで容易に実装することもできる。
【０２１２】
本発明について、好ましい実施形態を参照して詳細に示し、説明してきたが、本明細書で以上に説明した本発明の範囲を逸脱することなく、その形態および細部の様々な変更が可能なことは、当業者には言うまでもない。
【図面の簡単な説明】
【０２１３】
【図１】現在の３ＧＰＰ仕様による一般的なＣＤＭＡシステムを示す概略図である。
【図２】本発明の教示に従って構成できるターゲットＳＩＲメトリックスを経由して外部ループ電力制御を使用した無線通信システムのためのオープンループ電力制御システムを示す概略図である。
【図３】このプロセスは図３にＣＣＴｒＣＨのゲイン係数を適用するｊ番目のＴＦＣのＴｒＣＨのデータを搬送する従来の物理チャネルの組合せを示す概略図である。
【図４】第１の設定、すなわち物理設定１の第１の例によるゲイン係数を示す表である。
【図５】第２の設定、すなわち物理設定２の第１の例によるゲイン係数を示す表である。
【図６】ＴＦＣ３を第１の例の参照として使用した場合のゲイン係数の比較を示すグラフである。
【図７】第２の例の参照ＴＦＣ（βｒｅｆ＝１）としてＴＦＣ４を使用した場合のパンクチャリング／繰り返しの関数としてのゲイン係数の比較を示すグラフである。
【図８】第３の例の参照ＴＦＣ（βｒｅｆ＝１）としてＴＦＣ１０を使用した場合のパンクチャリング／繰り返しの関数としてのゲイン係数の比較を示すグラフである。
【図９】物理設定１の第２および第３の例によるゲイン係数を示す表である。
【図１０】物理設定２の第２および第３の例によるゲイン係数を示す表である。
【図１１】第４の例で物理設定１の参照としてＴＦＣ３を使用し、物理設定２の参照としてＴＦＣ６を使用した場合に、パンクチャリング／繰り返しの関数としてのゲイン係数の比較を示すグラフである。
【図１２】物理設定２の第４の例によるゲイン係数を示す表である。
【図１３】第５の例で物理設定１と物理設定２の参照としてＴＦＣ３を使用し、βｒｅｆ，ｏｌｄから計算されたβｒｅｆ，ｎｅｗを使用した場合に、パンクチャリング／繰り返しの関数としてのゲイン係数の比較を示すグラフである。
【図１４】物理設定２の第５の例によるゲイン係数を示す表である。
【図１】
2007507165.tif 000108
【図２】
2007507165.tif 000109
【図３】
2007507165.tif 000110
【図４】
2007507165.tif 000111
【図５】
2007507165.tif 000112
【図６】
2007507165.tif 000113
【図７】
2007507165.tif 000114
【図８】
2007507165.tif 000115
【図９】
2007507165.tif 000116
【図１０】
2007507165.tif 000117
【図１１】
2007507165.tif 000118
【図１２】
2007507165.tif 000119
【図１３】
2007507165.tif 000120
【図１４】
2007507165.tif 000121
【国際調査報告】
2007507165.tif 000122
2007507165.tif 000123